(57)【要約】  乗物表面のクリーニングに使用するための加熱液体を供給する装置であって、液体が中を通してリザーバから受け取られる入口と、乗物表面をクリーニングするためにその液体が中を通して放出される出口とを有し、かつ、第１の加熱チャンバと、第２の加熱チャンバと、この第１の加熱チャンバおよび第２の加熱チャンバに直接的に熱接触しておりかつこの液体容器の外壁の少なくとも一部分を画定する熱伝導要素とを含む液体容器と、この熱伝導要素に隣接しており、かつ、この熱伝導要素を加熱し、これによって第１の加熱チャンバと第２の加熱チャンバとの中の液体を加熱する働きをする加熱要素とを含む装置。
2009512592.tif 000002
【特許請求の範囲】
【請求項１】
乗物表面のクリーニングに使用するための加熱液体を供給する装置であって、
液体容器と加熱要素とを備えている装置において、
前記液体容器が、液体が中を通してリザーバから受け取られる入口と、前記乗物表面をクリーニングするために前記液体が中を通して放出される出口とを有しており、そして
第１の加熱チャンバと、
第２の加熱チャンバと、
前記第１の加熱チャンバと前記第２の加熱チャンバとに直接的に熱接触しておりかつこの液体容器の外壁の少なくとも一部分を画定する熱伝導要素とを有していて、
前記加熱要素が、前記熱伝導要素を加熱し、これによって前記第１の加熱チャンバと前記第２の加熱チャンバとの中の前記液体を加熱する働きをする、前記熱伝導要素に隣接している、
装置。
【請求項２】
前記液体容器は、さらに、前記熱伝導要素に取り付けられている少なくとも１つの密封要素も含む請求項１に記載の装置。
【請求項３】
前記熱伝導要素は前記少なくとも１つの密封要素のカバーを画定する請求項２に記載の装置。
【請求項４】
前記第１の加熱チャンバは丸い末端部分を含む請求項１に記載の装置。
【請求項５】
真空に維持される体積を含む少なくとも１つの断熱カバーアセンブリをさらに備える請求項１に記載の装置。
【請求項６】
前記少なくとも１つの密封要素の少なくとも一部分はゴムで形成されている請求項１に記載の装置。
【請求項７】
乗物表面のクリーニングに使用するための加熱液体を供給する方法であって、
第１の加熱チャンバと、第２の加熱チャンバと、前記第１の加熱チャンバと前記第２の加熱チャンバとに直接的に熱接触しておりかつこの液体容器の外壁の少なくとも一部分を画定する熱伝導要素とを含む、液体を加熱するための液体容器を用意することと、
前記第１の加熱チャンバと前記第２の加熱チャンバとの中に液体を受け入れることと、
前記熱伝導要素を加熱して、これによって前記熱伝導要素を経由して前記第１の加熱チャンバ内と前記第２の加熱チャンバ内の前記液体を加熱することと、
前記液体を出口を通して乗物表面上に放出することと、
を含む方法。
【請求項８】
乗物表面のクリーニングに使用するための加熱液体を供給する装置であって、
液体が中を通してリザーバから受け取られる入口と、前記乗物表面をクリーニングするために前記液体が中を通して放出される出口とを有し、かつ、第１の加熱チャンバと第２の加熱チャンバとを含む容器と、
前記第１の加熱チャンバと前記第２の加熱チャンバとに直接的に熱接触しており、かつ、前記第１の加熱チャンバ内と前記第２の加熱チャンバ内の前記液体を加熱する働きをする熱伝導カバーと、
前記熱伝導カバーを加熱する働きをする、前記熱伝導カバーに隣接した加熱要素と、
を含む装置。
【請求項９】
乗物表面のクリーニングに使用するための加熱液体を供給する方法であって、
第１の加熱チャンバと第２の加熱チャンバとを含む、液体を加熱するための容器を用意することと、
前記液体が前記第１の加熱チャンバと前記第２の加熱チャンバとの中に流れ込むように前記容器の中に前記液体を受け入れることと、
前記第１の加熱チャンバと前記第２の加熱チャンバとに直接的に熱接触している熱伝導カバーを加熱し、これによって前記熱伝導カバーを経由して前記第１の加熱チャンバ内と前記第２の加熱チャンバ内の前記液体を加熱することと、
前記液体を出口を通して前記乗物表面の上に放出することと、
を含む方法。
【請求項１０】
乗物表面のクリーニングに使用するための加熱液体を供給する方法であって、
容器内に液体を受け入れることと、
前記容器内で前記液体を加熱することと、
前記液体を出口を通して前記乗物表面上に放出することとを含み、
前記液体を加熱することは、
前記容器と熱的に連通している少なくとも１つの加熱要素を用意することと、
加熱要素待機モードを含む複数の動作モードの中の１つの動作モードにおいて少なくとも１つの加熱要素を作動させることとを含み、および、
前記加熱要素待機モードは、
前記液体の近沸騰温度を確認することと、
前記近沸騰温度に少なくとも部分的に基づいて、少なくとも１対の待機モード温度閾値を設定することと、
前記液体の温度を測定することと、
前記温度と前記温度閾値とに基づいて、前記少なくとも１つの加熱要素を制御することと、
を含む方法。
【請求項１１】
乗物表面のクリーニングに使用するための加熱液体を供給する装置であって、
液体が中を通してリザーバから受け取られる入口と、前記乗物表面をクリーニングするために前記液体が中を通して放出される出口とを有する容器と、
前記容器と熱的に連通している少なくとも１つの加熱要素と、
前記容器内の前記液体の温度を測定する働きをする少なくとも１つの温度センサと、
待機モードを含む複数の動作モードの中の１つの動作モードにおいて前記少なくとも１つの加熱要素を作動させる働きをする制御装置と、
を含み、
前記待機モードは、
前記液体の前記近沸騰温度を確認することと、
前記近沸騰温度に少なくとも部分的に基づいて、少なくとも１対の待機モード温度閾値を設定することと、
前記温度と前記温度閾値とに基づいて、前記少なくとも１つの加熱要素を制御することと、
を含む装置。
【請求項１２】
前記設定することは、少なくとも１つの追加のセンサからの入力に少なくとも部分的に基づいている請求項１１に記載の装置。
【請求項１３】
前記制御装置は、前記少なくとも１つの温度センサを含む一次温度センサを選択する働きをし、および、
前記少なくとも１対の待機閾値は、前記少なくとも１つの温度センサの各センサに関する１対の待機閾値を含む
請求項１１に記載の装置。
【請求項１４】
さらに循環ポンプも含み、および、前記設定することは、前記循環ポンプの作動モードに少なくとも部分的に基づいている請求項１１に記載の装置。
【請求項１５】
さらに、前記制御装置との通信状態にあるＲＦアクチュエータを含み、および、前記制御装置は、前記ＲＦアクチュエータから待機モード起動を受け取る時に、前記待機モードにおいて前記少なくとも１つの加熱要素を作動させる働きをする請求項１１に記載の装置。
【請求項１６】
乗物表面のクリーニングに使用するための加熱液体を供給する装置であって、
液体が中を通してリザーバから受け取られる入口と、前記乗物表面をクリーニングするために前記液体が中を通して放出される出口とを有する液体容器と、
前記液体容器内の前記液体を加熱する働きをする加熱要素と、
前記液体容器の上に重なっている少なくとも１つの断熱部分とを含み、
前記少なくとも１つの断熱部分は真空に維持される体積を含む、
装置。
【請求項１７】
前記少なくとも１つの断熱部分は、真空に維持されている前記体積を含む少なくとも１つの断熱カバーアセンブリを備える請求項１６に記載の装置。
【請求項１８】
さらに、前記液体容器と前記少なくとも１つの断熱部分との間の少なくとも１つの断熱層も備える請求項１６に記載の装置。
【請求項１９】
乗物表面のクリーニングに使用するための加熱液体を供給する方法であって、
液体を加熱するための液体容器と、前記液体容器の上に重なっておりかつ真空に維持される体積を含む少なくとも１つの断熱部分とを用意することと、
前記液体容器の中に液体を受け入れることと、
前記液体容器内の前記液体を加熱することと、
クリーニングされる乗物表面上に出口を通して前記液体を放出すること
とを含む方法。
【請求項２０】
乗物表面を除氷する装置であって、
ワイパアセンブリであって、
前記乗物表面に沿ってこのワイパアセンブリを移動させる働きをするワイパ駆動装置アセンブリと、
ワイパアームと、
ワイパブレードホルダと、
ワイパブレード
とを含むワイパアセンブリと、
液体を収容する容器と、
前記容器内の前記液体を加熱するための少なくとも１つの加熱要素と、
前記少なくとも１つの加熱要素を制御する働きをする制御装置と、
前記ワイパアームと前記ワイパブレードホルダとの少なくとも一方に隣接している少なくとも１つの熱伝導性循環導管と、
前記少なくとも１つの熱伝導性循環導管を通して前記容器から液体を循環させる働きをする循環ポンプと、
を含む装置。
【請求項２１】
前記ワイパアームと前記ワイパブレードホルダとの前記少なくとも一方は、第１の方向と前記第１の方向とは反対の第２の方向とに乗物表面に沿って移動する働きをし、
前記少なくとも１つの熱伝導性循環導管は、少なくとも１つの第１の熱伝導性部分と少なくとも１つの第２の熱伝導性部分とを含み、
前記少なくとも１つの第１の熱伝導性部分は、前記ワイパアームが前記第１の方向に動く時にワイパアームの前方で前記乗物表面に沿って移動し、かつ、前記ワイパアームが前記第２の方向に動く時に前記ワイパアームの後方で前記乗物表面に沿って移動する働きをし、
前記少なくとも１つの第２の熱伝導性部分は、前記ワイパアームが前記第１の方向に動く時に前記ワイパアームの後方で前記乗物表面に沿って移動し、かつ、前記ワイパアームが前記第２の方向に動く時に前記ワイパアームの前方で前記乗物表面に沿って移動する働きをする
請求項２０に記載の装置。
【請求項２２】
さらに、前記循環ポンプと前記少なくとも１つの熱伝導性循環導管とに流体連通している少なくとも１つの非熱伝導性循環導管も備える請求項２０に記載の装置。
【請求項２３】
前記少なくとも１つの熱伝導性循環導管の少なくとも一部分は可とう性材料で形成されている請求項２０に記載の装置。
【請求項２４】
前記少なくとも１つの熱伝導性循環導管の少なくとも一部分は前記ワイパアームと一体的に形成されている請求項２０に記載の装置。
【請求項２５】
前記少なくとも１つの熱伝導性循環導管の少なくとも一部分は前記ワイパブレードホルダと一体的に形成されている請求項２０に記載の装置。
【請求項２６】
前記ワイパアームの少なくとも一部分と前記ワイパブレードホルダの少なくとも一部分との少なくとも一方を直接的に加熱するための少なくとも１つの追加の加熱要素をさらに備える請求項２０に記載の装置。
【請求項２７】
前記少なくとも１つの追加の加熱要素は前記ワイパブレードを加熱する働きもする請求項２６に記載の装置。
【請求項２８】
前記少なくとも１つの熱伝導性循環導管は、前記容器に出入りする連続循環経路の一部分を形成する請求項２０に記載の装置。
【請求項２９】
乗物表面を除氷する方法であって、
ワイパアームと、ワイパブレードホルダと、ワイパブレードと、前記乗物表面に沿ってこのワイパアセンブリを移動させる働きをするワイパ駆動装置アセンブリとを含むワイパアセンブリを用意することと、
前記ワイパアームと前記ワイパブレードホルダとの少なくとも一方に隣接している少なくとも１つの熱伝導性循環導管を用意することと、
容器中の液体を加熱することと、
前記少なくとも１つの熱伝導性循環導管を通して前記容器から液体を循環させることと、
前記乗物表面に沿って前記ワイパアセンブリを移動させることと、
を含む方法。
【請求項３０】
前記ワイパアームと前記ワイパブレードホルダとの前記少なくとも一方は、第１の方向と前記第１の方向とは反対の第２の方向とに前記乗物表面に沿って移動する働きをし、
前記少なくとも１つの熱伝導性循環導管は、少なくとも１つの第１の熱伝導性部分と少なくとも１つの第２の熱伝導性部分とを含み、
前記少なくとも１つの第１の熱伝導性部分は、前記ワイパアームが前記第１の方向に動く時にワイパアームの前方で前記乗物表面に沿って移動し、かつ、前記ワイパアームが前記第２の方向に動く時に前記ワイパアームの後方で前記乗物表面に沿って移動する働きをし、
前記少なくとも１つの第２の熱伝導性部分は、前記ワイパアームが前記第１の方向に動く時に前記ワイパアームの後方で前記乗物表面に沿って移動し、かつ、前記ワイパアームが前記第２の方向に動く時に前記ワイパアームの前方で前記乗物表面に沿って移動する働きをする
請求項２９に記載の方法。
【請求項３１】
前記乗物表面のクリーニングに使用するための加熱液体を供給する装置であって、
液体が中を通してリザーバから受け取られる入口と、前記乗物表面をクリーニングするために前記液体が中を通して放出される出口とを有する容器と、
前記容器内の前記液体を加熱する働きをする加熱ユニットと、
汚れレベル出力を与える汚れセンサと、
少なくとも部分的に前記汚れレベル出力に応答して、非噴霧指示出力信号と少なくとも２つの異なる噴霧指示出力信号の少なくとも１つを生成する働きをする制御装置と、
を含む装置。
【請求項３２】
前記制御装置は、少なくとも２つの異なる汚れレベル閾値に対して前記汚れレベル出力を比較する働きをする請求項３１に記載の装置。
【請求項３３】
前記少なくとも２つの異なる噴霧指示出力信号は、少なくとも２つの異なる加熱噴霧サイクルを生成する信号を含む請求項３１に記載の装置。
【請求項３４】
さらに、前記制御装置に対する少なくとも１つの追加の入力を提供する働きをする少なくとも１つの追加のセンサも備え、および、前記制御装置は、さらに、前記少なくとも２つの異なる噴霧指示出力信号を少なくとも部分的に前記少なくとも１つの追加の入力に基づかせる働きをする請求項３１に記載の装置。
【請求項３５】
前記少なくとも１つの追加のセンサは温度センサを含み、および、前記少なくとも１つの追加の入力は、前記温度センサによって検出された温度を含む請求項３４に記載の装置。
【請求項３６】
前記制御装置は、さらに、少なくとも１つの追加のパラメータを計算し、かつ、前記少なくとも２つの異なる噴霧指示出力信号を少なくとも部分的に前記少なくとも１つの追加のパラメータに基づかせる働きをする請求項３４に記載の装置。
【請求項３７】
前記少なくとも１つの追加のパラメータは、前記温度センサによって検出された前記温度の変化率を含む請求項３６に記載の装置。
【請求項３８】
前記制御装置は、さらに、少なくとも１つの追加のパラメータを計算し、かつ、前記少なくとも２つの異なる噴霧指示出力信号を少なくとも部分的に前記少なくとも１つの追加のパラメータに基づかせる働きをする請求項３１に記載の装置。
【請求項３９】
前記少なくとも１つの追加のパラメータは前記汚れレベル出力の変化率を含む請求項３８に記載の装置。
【請求項４０】
乗物表面のクリーニングに使用するための加熱液体を供給する方法であって
液体を加熱するための容器を用意することと、
前記液体を前記容器の中に受け入れることと、
前記液体を加熱することと、
前記乗物表面の付近の汚れレベルを測定して、汚れレベル出力を提供することと、
少なくとも部分的に前記汚れレベル出力に応答して、非噴霧指示出力信号と少なくとも２つの異なる噴霧指示出力信号との少なくとも１つを提供することと、
を含む方法。
【請求項４１】
乗物表面を除氷する装置であって、
ワイパアセンブリであって、
前記乗物表面に沿って移動する働きをする、前記乗物表面を拭き取るための少なくとも１つのワイパと、
前記少なくとも１つのワイパを駆動するモータと、少なくとも第１の動作モードと第２の動作モードとにおいて前記モータを作動させる働きをするワイパ制御装置とを含む
ワイパアクチュエータと、
を備えるワイパアセンブリを備え、
前記ワイパ制御装置は、
前記少なくとも１つのワイパが阻止されているか阻止されていないかを確認し、
前記少なくとも１つのワイパが阻止されていない時に前記第１の動作モードにしたがってモータを作動させ、
前記少なくとも１つのワイパが阻止されている時に前記第２の動作モードにしたがって前記モータを作動させる働きをする、
装置。
【請求項４２】
乗物表面を除氷する方法であって、
前記乗物表面を拭き取るための少なくとも１つのワイパと、前記少なくとも１つのワイパを駆動するモータと前記モータを制御する働きをするワイパ制御装置とを含むワイパアクチュエータシステムとを含む、ワイパアセンブリを用意することと、
前記少なくとも１つのワイパが阻止されているか阻止されていないかを確認することと、
前記少なくとも１つのワイパが阻止されていない時に第１の動作モードにしたがって前記モータを作動させることと、
前記少なくとも１つのワイパが阻止されている時に第２の動作モードにしたがって前記モータを作動させることと、
を含む方法。
【請求項４３】
前記確認することは、
阻止閾値レベルを設定することと、
前記ワイパアセンブリの動作パラメータを測定することと、
前記動作パラメータを前記阻止閾値レベルに対して比較することと、
を含む請求項４２に記載の方法。
【請求項４４】
前記阻止閾値レベルは、前記少なくとも１つのワイパの移動角度の関数である請求項４３に記載の方法。
【請求項４５】
前記第２の動作モードは、
前記モータに適用されるべき最大動作レベルを設定することと、
一定の時間期間中に前記最大動作レベルよりも小さいか等しい動作入力を与えることと、
前記時間期間の終了時に、前記少なくとも１つのワイパが阻止されているか阻止されていないかを確認することと、
前記少なくとも１つのワイパが阻止されている場合には、前記少なくとも１つのワイパの方向を変えることと、
を含む請求項４３に記載の方法。
【請求項４６】
前記最大動作レベルが前記阻止閾値レベルよりも大きい請求項４５に記載の方法。
【請求項４７】
前記最大動作レベルはゼロである請求項４５に記載の方法。
【請求項４８】
前記最大動作レベルは前記阻止閾値レベルよりも小さく、および、前記時間期間の終了時に確認することは、
前記ワイパアセンブリの動作パラメータを測定することと、
前記動作パラメータを前記最大動作レベルに対して比較することと、
を含む請求項４５に記載の方法。
【請求項４９】
前記第２の動作モードは、
前記モータに適用されるべき最大動作レベルを設定することと、
一定の時間期間中に前記最大動作レベルよりも小さいか等しい動作入力を与えることと、
前記時間期間の終了時に前記少なくとも１つのワイパの方向を変えることと、
を含む請求項４２に記載の方法。
【請求項５０】
前記第２の動作モードは、
時間期間を設定することと、
前記時間期間中に、前記少なくとも１つのワイパが阻止状態になっている時に前記少なくとも１つのワイパの位置に隣接した小さい区域の全体にわたって前記少なくとも１つのワイパの迅速な前後移動を実現することと、
前記時間期間の終了時に、前記少なくとも１つのワイパが阻止されているか阻止されていないかを確認することと、
前記少なくとも１つのワイパが阻止されている場合には、前記少なくとも１つのワイパの方向を変えることと、
を含む請求項４２に記載の方法。
【請求項５１】
熱ヒューズであって、電力供給接続部を備え、
前記電力供給接続部は、
第１の伝導性部分と、
前記第１の伝導性部分と電気的な連通状態にある第２の伝導性部分であって、予め決められた温度よりも高く加熱されることに応答して溶融する働きをする第２の伝導性部分と、
予め決められた温度よりも高い温度に前記第２の伝導性部分を加熱することに応答して、膨張して、前記第１の伝導性部分に対する前記第２の伝導性部分の電気的連通を解除する形で前記第２の伝導性部分を移動させ、これによって前記電力供給接続部を経由した電力の供給を遮断する膨張性の非導電性部分とを含んでいる、
熱ヒューズ。
【請求項５２】
前記膨張性の非導電性部分は、膨張して前記熱ヒューズの方向配置に無関係に前記第２の伝導性部分を移動させる請求項５１に記載の熱ヒューズ。
【請求項５３】
乗物と共に使用するための液体収集および再利用システムであって、
前記乗物に関連付けられている少なくとも１つの液体収集器と、
前記少なくとも１つの液体収集器から液体が中を通して受け入れられる入口を有する、前記乗物に関連付けられている少なくとも１つの収集リザーバと、
を含む液体収集および再利用システム。
【請求項５４】
前記収集リザーバは、乗物表面をクリーニングするために前記液体が中を通して放出される出口を含む請求項５３に記載の液体収集および再利用システム。
【請求項５５】
さらに、液体を加熱するための容器を備え、および、前記容器は、液体が前記収集リザーバから中を通して受け取られる入口と、乗物表面をクリーニングするために前記液体が中を通して放出される出口とを有する請求項５３に記載の液体収集および再利用システム。
【請求項５６】
前記少なくとも１つの液体収集器は、乗物空調ユニットからの液体排水を収集する働きをする請求項５３に記載の液体収集および再利用システム。
【請求項５７】
さらに、前記少なくとも１つの液体収集器から未濾過の液体を受け入れる働きをし、かつ、濾過された液体を前記少なくとも１つの収集リザーバに供給する働きをする少なくとも１つのフィルタも備える請求項５３に記載の液体収集および再利用システム。
【請求項５８】
さらに、少なくとも１つの前濾過弁（ｐｒｅ−ｆｉｌｔｒａｔｉｏｎ  ｖａｌｖｅ）も含む請求項５３に記載の液体収集および再利用システム。
【請求項５９】
さらに、排水管も含み、および、前記少なくとも１つの前濾過弁は、未濾過の液体が前記少なくとも１つのフィルタに到達することを可能にするフィルタ開き位置で動作し、および、フィルタ閉じ位置では未濾過の液体を前記排水管に方向付ける請求項５８に記載の液体収集および再利用システム。
【請求項６０】
さらに、液体レベルセンサによって検出された液体レベルに基づいて液体流を制御する働きをする液体流制御装置も備える請求項５３に記載の液体収集および再利用システム。
【請求項６１】
さらに、液体を液体加熱ユニットに供給する働きをする乗物リザーバも備え、および、前記液体レベルセンサは前記乗物リザーバ内の液体のレベルを測定し、および、前記液体流制御装置は、前記液体レベルセンサによって検出された前記液体レベルに基づいて前記乗物リザーバに液体を供給する働きをする請求項６０に記載の液体収集および再利用システム。
【請求項６２】
さらに、少なくとも１つの追加のリザーバと、
前記液体収集および再利用システムの中を通過する複数の液体流を制御する働きをする液体流制御装置と、
を備える請求項５３に記載の液体収集および再利用システム。
【請求項６３】
前記少なくとも１つの追加のリザーバ内の液体は、前記少なくとも１つの収集リザーバ内の液体とは異なる液体である請求項６２に記載の液体収集および再利用システム。
【請求項６４】
前記液体流制御装置は、前記少なくとも１つの収集リザーバと前記少なくとも１つの追加のリザーバとからの液体の最適な混合を実現する働きをする請求項６３に記載の液体収集および再利用システム。
【請求項６５】
前記少なくとも１つの追加のリザーバと前記少なくとも１つの収集リザーバは同一の液体を収容する請求項６２に記載の液体収集および再利用システム。
【請求項６６】
液体の収集および再利用の方法であって、
乗物に関連付けられている少なくとも１つの液体収集器を使用して液体を収集することと、
前記乗物内に配置されている少なくとも１つの収集リザーバの中に前記液体を受け入れることと、
を含む方法。
【請求項６７】
さらに、クリーニングされるべき乗物表面の上に出口を通して前記液体を放出することを含む請求項６６に記載の方法。
【請求項６８】
さらに、前記液体を受け入れることの前に前記液体を濾過することを含む請求項６６に記載の方法。
【請求項６９】
乗物表面のクリーニングに使用するための加熱液体を供給する装置であって、
液体が中を通してリザーバから受け取られる入口と、前記乗物表面をクリーニングするために前記液体が中を通して放出される出口とを有し、かつ、丸い末端部分を含む容器と、
前記液体を加熱する働きをする熱伝導カバーであって、その内向きの表面上に形成されている湾曲断面部分を含み、かつ、前記湾曲断面部分は、湾曲部分を各々が備える複数の突出断面を含む熱伝導カバーと、
前記熱伝導カバーを加熱する働きをする、前記熱伝導カバーに隣接した加熱要素と、
を備える装置。
【請求項７０】
前記丸い末端部分と、前記熱伝導カバーの前記湾曲断面部分と前記湾曲部分は、前記熱伝導カバーから前記容器内に収容されている液体への改善された熱伝導を生じさせる、前記容器内の液体循環を実現する請求項６９に記載の装置。
【請求項７１】
前記丸い末端部分と、前記熱伝導カバーの前記湾曲断面部分と前記湾曲部分は、前記容器内に収容されている前記液体の温度の改善された均一性を生じさせる、前記容器内の液体循環を生じさせる請求項６９に記載の装置。
【請求項７２】
前記丸い末端部分と、前記熱伝導カバーの前記湾曲断面部分と前記湾曲部分は、前記容器内に収容されている前記液体と、前記液体に接触している前記熱伝導カバーの一部分との間の第１の温度差において、前記容器内の概ね循環した流れを生じさせる請求項６９に記載の装置。
【請求項７３】
前記丸い末端部分と、前記熱伝導カバーの前記湾曲断面部分と前記湾曲部分は、前記容器内に収容されている前記液体と、前記液体と接触している前記熱伝導カバーの一部分との間の第２の温度差において、前記容器内の複数の概ね循環した流れを生じさせる請求項６９に記載の装置。
【請求項７４】
乗物表面のクリーニングに使用するための加熱液体を供給する方法であって、
丸い末端部分を含む、液体を加熱する容器を用意することと、
前記液体が前記丸い末端部分の中に流れ込むように前記容器内に前記液体を受け入れることと、
前記容器の上に重なる熱伝導カバーを加熱し、これによって前記熱伝導カバーを経由して前記丸い末端部分内の前記液体を加熱することであって、前記熱伝導カバーは、その内向きの表面上に形成されている湾曲断面部分を含み、および、前記湾曲断面部分は、各々が湾曲部分を備える複数の突出部分を含むことと、
前記液体を出口を通して前記乗物表面上に放出することと、
を含む方法。
【請求項７５】
乗物表面を除氷する装置であって、
ワイパアセンブリであって、
前記乗物表面に沿ってこのワイパアセンブリを移動させる働きをするワイパ駆動装置アセンブリと、
ワイパアームと、
ワイパブレードホルダと、
ワイパブレード
とを含むワイパアセンブリと、
前記ワイパアームの少なくとも一部分と前記ワイパブレードホルダの少なくとも一部分との少なくとも一方を直接的に加熱するための少なくとも１つの加熱要素と、
を含む装置。
【請求項７６】
さらに、前記少なくとも１つの加熱要素は前記ワイパブレードを加熱する働きもする請求項７５に記載の装置。
【請求項７７】
前記少なくとも１つの加熱要素を制御する働きをする制御装置も備える請求項７５に記載の装置。
【請求項７８】
乗物表面を除氷する方法であって、
ワイパアームと、ワイパブレードホルダと、ワイパブレードと、前記乗物表面に沿ってワイパアセンブリを動かす働きをするワイパ駆動装置アセンブリとを含むワイパアセンブリを用意することと、
前記ワイパアームの少なくとも一部分と前記ワイパブレードホルダの少なくとも一部分との少なくとも一方を加熱することと、
前記ワイパアセンブリを前記乗物表面に沿って移動させることと、
を含む方法。
【請求項７９】
乗物表面のクリーニングに使用するための加熱液体を供給する装置であって、
洗浄液体が中を通してリザーバから受け取られる入口と、前記乗物表面をクリーニングするために前記液体が中を通して放出される出口とを有する容器と、
前記容器内の前記液体を加熱する加熱要素と、
この装置の動作を制御するための制御装置と、
前記制御装置との通信状態にあるＲＦアクチュエータであって、前記制御装置との通信を開始し、および、前記制御装置に対してこのＲＦアクチュエータを一意的に識別する働きをするＲＦアクチュエータと、
を備える装置。
【請求項８０】
前記制御装置は、前記ＲＦアクチュエータからの待機モード起動を受け取る時に、加熱要素待機モードにしたがって前記装置を作動させる働きをする請求項７９に記載の装置。
【請求項８１】
前記制御装置は、前記ＲＦアクチュエータからの自動モード起動を受け取る時に、自動モードにしたがって前記装置を作動させる働きをする請求項７９に記載の装置。
【請求項８２】
前記制御装置は、前記ＲＦアクチュエータからのＯＦＦ命令を受け取る時に、前記装置をＯＦＦモードにする働きをする請求項７９に記載の装置。
【請求項８３】
前記制御装置は、前記乗物のエンジンがＯＦＦ状態にある時に、前記ＲＦアクチュエータからの命令を無視する働きをする請求項７９に記載の装置。
【請求項８４】
前記制御装置は、前記乗物のバッテリの電圧レベルを測定することによって、前記乗物の前記エンジンの状態を監視する働きをする請求項８３に記載の装置。
【請求項８５】
前記電圧レベルが予め決められたレベルよりも低い時には、前記乗物はＯＦＦ状態にある請求項８４に記載の装置。
【請求項８６】
乗物表面のクリーニングに使用するための加熱された液体を供給する装置であって、
液体が中を通してリザーバから受け取られる入口と、前記乗物表面をクリーニングするために前記液体が中を通して放出される出口とを有する容器と、
前記容器内の前記液体を加熱する働きをする加熱要素と、
を備え、および、前記容器の少なくとも一部分はゴムで形成されている装置。
【発明の詳細な説明】
【技術分野】
【０００１】
本発明は、一般的に、乗物要素をクリーニングまたは除氷するための装置および方法に関する。
【背景技術】
【０００２】
次の特許公開が当業の現状を示すと考えられる。
【０００３】
米国特許第６５３，６２９号明細書、米国特許第１，６３６，１９０号明細書、米国特許第２，６０７，９４４号明細書、米国特許第３，２０２，４４７号明細書、米国特許第３，２０３，４４７号明細書、米国特許第３，３１９，８９１号明細書、米国特許第３，３３２，０４５号明細書、米国特許第３，４４６，９４２号明細書、米国特許第３，４２７，６７５号明細書、米国特許第３，４７５，５８８号明細書、米国特許第３，６３２，０４２号明細書、米国特許第３，５２４，０４４号明細書、米国特許第３，５３７，９００号明細書、米国特許第３，６４３，１９３号明細書、米国特許第３，７１１，６７９号明細書、米国特許第３，７１６，８８６号明細書、米国特許第３，７４７，５００号明細書、米国特許第３，８８８，４１２号明細書、米国特許第３，９７７，４３６号明細書、米国特許第３，９７９，０６８号明細書、米国特許第４，０９０，６６８号明細書、米国特許第４、０８８，２６９号明細書、米国特許第４，１０６，５０８号明細書、米国特許第４，１５９，０２６号明細書、米国特許第４，２１２，４２５号明細書、米国特許第４，２５３，４９３号明細書、米国特許第４，２９５，１１１号明細書、米国特許第４，３０６，５８９号明細書、米国特許第４，４０３，７６５号明細書、米国特許第４，４８９，８６３号明細書、米国特許第４，５０８，９５７号明細書、米国特許第４，５２４，７９７号明細書、米国特許第４，５３４，５３９号明細書、米国特許第４，５６１，６３２号明細書、米国特許第４，５７４，８４１号明細書、米国特許第４，６１６，７８０号明細書、米国特許第４，４６８，５２５号明細書、米国特許第４，６９０，３７１号明細書、米国特許第４，８１５，６６２号明細書、米国特許第４，８３４，２８９号明細書、米国特許第４，８７７，１８６号明細書、米国特許第４，８３２，２６２号明細書、米国特許第４，９２２，５７０号明細書、米国特許第４，９４６，００９号明細書、米国特許第５，０１２，９７７号明細書、米国特許第５，０３４，７１４号明細書、米国特許第５，１１８，０４０号明細書、米国特許第５，１３４，２６６号明細書、米国特許第５，１４１，１５７号明細書、米国特許第５，１４１，１６０号明細書、米国特許第５，１７３，５８６号明細書、米国特許第５，２０３，０４９号明細書、米国特許第５，２５４，０８３号明細書、米国特許第５，２７１，１２０号明細書、米国特許第５，３１８，０７１号明細書、米国特許第５，３４５，９６８号明細書、米国特許第５，３５１，９３４号明細書、米国特許第５，３５４，９６５号明細書、米国特許第５，３８３，２４７号明細書、米国特許第５，４２３，４８６号明細書、米国特許第５，４６７，５２２号明細書、米国特許第５，５０９，６０６号明細書、米国特許第５，５６１，８８２号明細書、米国特許第５，６３６，４０７号明細書、米国特許第５，６５０，０８０号明細書、米国特許第５，６７３，３６０号明細書、米国特許第５，７１１，４８６号明細書、米国特許第５，７１１，４８７号明細書、米国特許第５，７２７，７６９号明細書、米国特許第５，７６２，２７８号明細書、米国特許第５，７８４，７５１号明細書、米国特許第５，８２３，４３９号明細書、米国特許第５，８８１，４２８号明細書、米国特許第５，９０３，９５３号明細書、米国特許第５，９２７，６０８号明細書、米国特許第５，９４４，９１０号明細書、米国特許第５，９４７，３４８号明細書、米国特許第５，９５７，３８４号明細書、米国特許第５，９６５，９５０号明細書、米国特許第５，９７９，７９６号明細書、米国特許第５，９８８，５２３号明細書、米国特許第５，９８８，５２９号明細書、米国特許第６，００８，４７４号明細書、米国特許第６，０２４，８０３号明細書、米国特許第６，０２９，９０８号明細書、米国特許第６，０３２，３２４号明細書、米国特許第６，０５０，５０３号明細書、米国特許第６，０８２，６３２号明細書、米国特許第６，１３３，５４６号明細書、米国特許第６，１６４，５６４号明細書、米国特許第６，１５５，４９３号明細書、米国特許第６，１９９，５８７号明細書、米国特許第６，２２０，５２４号明細書、米国特許第６，２２３，９５１号明細書、米国特許第６，２３６，０１９号明細書、米国特許第６，３３０，４９７号明細書、米国特許第６，２５７，５００号明細書、米国特許第６，２８１，６４９号明細書、米国特許第６，２８６，１７４号明細書、米国特許第６，６１５，４３８号明細書、米国特許第６，６６９，１０９号明細書、米国特許第６，８９２，４１７号明細書、米国特許第７，１０８，７５４号明細書。
米国特許第４，２２４，５５１号明細書、米国特許出願番号１１／２０３，７７９、米国特許出願番号１１／７００，１４１、米国特許出願番号１０／７００，１４１、米国特許出願番号１０／４７７，４８６、米国特許出願番号１０／５３１，９７９、ＰＣＴ出願番号ＰＣＴ／ＩＬ２００５／００１７９
公開ＰＣＴ出願ＷＯ  ２００５／０７６７３５、公開ＰＣＴ出願ＷＯ  ２００４／０３５３５８、公開ＰＣＴ出願ＷＯ  ０２／０９２２３７、公開ＰＣＴ出願ＷＯ  ００／２７５４０、公開ＰＣＴ出願ＷＯ  ９８／５８８２６。
【発明の開示】
【発明が解決しようとする課題】
【０００４】
本発明は、乗物要素をクリーニングまたは除氷するための改良された装置および方法を提供することを求める。
【課題を解決するための手段】
【０００５】
したがって、本発明の好ましい実施様態によって、乗物の表面のクリーニングに使用するための加熱液体を供給する装置が提供され、この装置は、液体が中を通してリザーバから受け取られる入口と、乗物表面をクリーニングするためにその液体が中を通して放出される出口とを有し、かつ、第１の加熱チャンバと第２の加熱チャンバと有する液体容器であって、第１の加熱チャンバと第２の加熱チャンバとに直接的に熱接触しておりかつ液体容器の外壁の少なくとも一部分を画定する熱伝導要素を含む液体容器と、熱伝導要素を加熱し、これによって第１の加熱チャンバと第２の加熱チャンバとの中の液体を加熱する働きをする、熱伝導要素に隣接している加熱要素とを含む。
【０００６】
液体容器が、さらに、熱伝導要素に取り付けられている少なくとも１つの密封要素も含むことが好ましい。これに加えて、熱伝導要素は、この少なくとも１つの密封要素のカバーを画定する。
【０００７】
第１の加熱チャンバが丸い末端部分を含むことが好ましい。これに加えて、または、この代わりに、この装置は、さらに、真空に維持される体積を含む少なくとも１つの断熱カバーアセンブリも含む。
【０００８】
少なくとも１つの密封要素の少なくとも一部分がゴムで作られていることが好ましい。
【０００９】
さらに、本発明の別の好ましい実施態様によって、乗物表面のクリーニングに使用するための加熱液体を供給する方法も提供され、この方法は、第１の加熱チャンバと、第２の加熱チャンバと、第１の加熱チャンバと第２の加熱チャンバとに直接的に熱接触しておりかつ液体容器の外壁の少なくとも一部分を画定する熱伝導要素とを含む、液体を加熱するための液体容器を用意することと、第１の加熱チャンバと第２の加熱チャンバとの中に液体を受け入れることと、熱伝導要素を加熱し、これによってこの熱伝導要素を経由して第１の加熱チャンバ内と第２の加熱チャンバ内の液体を加熱することと、この液体を出口を通して乗物表面上に放出することとを含む。
【００１０】
本発明のさらに別の好ましい実施態様によって、乗物表面のクリーニングに使用するための加熱液体を供給する装置が提供され、この装置は、液体が中を通してリザーバから受け取られる入口と、乗物表面をクリーニングするためにその液体が中を通して放出される出口とを有し、かつ、第１の加熱チャンバと第２の加熱チャンバとを含む容器と、第１の加熱チャンバと第２の加熱チャンバとに直接的に熱接触しており、かつ、第１の加熱チャンバ内と第２の加熱チャンバ内の液体を加熱する働きをする熱伝導カバーと、この熱伝導カバーを加熱する働きをする、熱伝導カバーに隣接した加熱要素とを含む。
【００１１】
さらに、本発明のさらに別の好ましい実施態様によって、乗物表面のクリーニングに使用するための加熱液体を供給する方法も提供され、この方法は、第１の加熱チャンバと第２の加熱チャンバとを含む、液体を加熱するための容器を用意することと、液体が第１の加熱チャンバと第２の加熱チャンバとの中に流れ込むようにその容器の中に液体を受け入れることと、第１の加熱チャンバと第２の加熱チャンバとに直接的に熱接触している熱伝導カバーを加熱し、これによって熱伝導カバーを経由して第１の加熱チャンバ内と第２の加熱チャンバ内の液体を加熱することと、この液体を出口を通して乗物表面上に放出することとを含む。
【００１２】
さらに、本発明のさらに別の好ましい実施態様によって、乗物表面のクリーニングに使用するための加熱液体を供給する方法も提供され、この方法は、容器内に液体を受け入れることと、この容器内で液体を加熱することと、この液体を出口を通して乗物表面上に放出することとを含み、および、この液体を加熱することは、容器と熱的に連通している少なくとも１つの加熱要素を用意することと、加熱要素待機モードを含む複数の動作モードの中の１つの動作モードにおいて少なくとも１つの加熱要素を作動させることとを含み、および、この加熱要素待機モードは、その液体の近沸騰温度（ｎｅａｒ−ｂｏｉｌｉｎｇ  ｔｅｍｐｅｒａｔｕｒｅ）を確認することと、少なくとも部分的に近沸騰温度に基づいて、少なくとも１対の待機モード温度閾値を設定することと、その液体の温度を測定することと、この温度と温度閾値とに基づいて少なくとも１つの加熱要素を制御することとを含む。
【００１３】
さらに、本発明のさらに別の好ましい実施態様によって、乗物表面のクリーニングに使用するための加熱液体を供給する装置がさらに提供され、この装置は、液体が中を通してリザーバから受け取られる入口と、乗物表面をクリーニングするためにその液体が中を通して放出される出口とを有する容器と、この容器と熱的に連通している少なくとも１つの加熱要素と、この容器内の液体の温度を測定する働きをする少なくとも１つの温度センサと、待機モードを含む複数の動作モードの中の１つの動作モードにおいてこの少なくとも１つの加熱要素を作動させる働きをする制御装置とを含み、この待機モードは、その液体の近沸騰温度を確認することと、この近沸騰温度に少なくとも部分的に基づいて少なくとも１対の待機モード温度閾値を設定することと、温度と温度閾値とに基づいて少なくとも１つの加熱要素を制御することとを含む。
【００１４】
この設定することが、少なくとも１つの追加のセンサからの入力に少なくとも部分的に基づいていることが好ましい。これに加えて、または、この代わりに、制御装置は、少なくとも１つの温度センサを含む一次温度センサを選択する働きをし、および、少なくとも１対の待機閾値が、少なくとも１つの温度センサの各センサに関する１対の待機閾値を含む。
【００１５】
本発明の別の好ましい実施態様では、この装置はさらに循環ポンプも含み、および、設定することが、この循環ポンプの作動モードに少なくとも部分的に基づいている。これに加えて、または、この代わりに、この装置は、さらに、制御装置との通信状態にあるＲＦアクチュエータを含み、および、制御装置は、ＲＦアクチュエータから待機モード起動を受け取る時に、待機モードにおいて少なくとも１つの加熱要素を作動させる働きをする。
【００１６】
本発明のさらに別の好ましい実施態様によって、乗物表面のクリーニングに使用するための加熱液体を供給する装置が提供され、この装置は、液体が中を通してリザーバから受け取られる入口と、乗物表面をクリーニングするためにその液体が中を通して放出される出口とを有する液体容器と、この液体容器内の液体を加熱する働きをする加熱要素と、この液体容器の上に重なっている少なくとも１つの断熱部分とを含み、この少なくとも１つの断熱部分は真空に維持される体積を含む。
【００１７】
少なくとも１つの断熱部分が、真空に維持されている体積を含む少なくとも１つの断熱カバーアセンブリを含むことが好ましい。これに加えて、または、これに加えて、この装置は、さらに、液体容器と少なくとも１つの断熱部分との間の少なくとも１つの断熱層も含む。
【００１８】
本発明のさらに別の好ましい実施態様によって、乗物表面のクリーニングに使用するための加熱液体を供給する方法がさらに提供され、この方法は、液体を加熱するための液体容器と、この液体容器の上に重なっておりかつ真空に維持される体積を含む少なくとも１つの断熱部分とを用意することと、この液体容器の中に液体を受け入れることと、この液体容器内の液体を加熱することと、クリーニングされるべき乗物表面上に出口を通して液体を放出することとを含む。
【００１９】
さらに、本発明のさらに別の好ましい実施態様によって、乗物表面を除氷する装置も提供され、この装置は、乗物表面に沿ってワイパアセンブリを移動させる働きをするワイパ駆動装置アセンブリと、ワイパアームと、ワイパブレードホルダと、ワイパブレードとを含むワイパアセンブリと、液体を収容する容器と、この容器内の液体を加熱するための少なくとも１つの加熱要素と、この少なくとも１つの加熱要素を制御する働きをする制御装置と、ワイパアームとワイパブレードホルダとの少なくとも一方に隣接している少なくとも１つの熱伝導性循環導管と、この少なくとも１つの熱伝導性循環導管を通して容器から液体を循環させる働きをする循環ポンプとを含む。
【００２０】
ワイパアームとワイパブレードホルダとの少なくとも一方が、第１の方向とこの第１の方向とは反対の第２の方向とに乗物表面に沿って移動する働きをし、および、少なくとも１つの熱伝導性循環導管は、少なくとも１つの第１の熱伝導性部分と少なくとも１つの第２の熱伝導性部分とを含み、および、この少なくとも１つの第１の熱伝導性部分は、ワイパアームが第１の方向に動く時にワイパアームの前方で乗物表面に沿って移動し、かつ、ワイパアームが第２の方向に動く時にワイパアームの後方で乗物表面に沿って移動する働きをし、および、少なくとも１つの第２の熱伝導性部分は、ワイパアームが第１の方向に動く時にワイパアームの後方で乗物表面に沿って移動し、かつ、ワイパアームが第２の方向に動く時にワイパアームの前方で乗物表面に沿って移動する働きをする。
【００２１】
この装置が、さらに、循環ポンプと少なくとも１つの熱伝導性循環導管とに流体連通している少なくとも１つの非熱伝導性の循環導管も含むことが好ましい。これに加えて、または、この代わりに、少なくとも１つの熱伝導性循環導管の少なくとも一部分は可とう性材料で形成されている。
【００２２】
少なくとも１つの熱伝導性循環導管の少なくとも一部分がワイパアームと一体的に形成されていることが好ましい。この代わりに、または、これに加えて、少なくとも１つの熱伝導性循環導管の少なくとも一部分はワイパブレードホルダと一体的に形成されている。
【００２３】
本発明の別の好ましい実施態様によって、この装置は、さらに、ワイパアームの少なくとも一部分とワイパブレードホルダの少なくとも一部分の少なくとも一方を直接的に加熱するための少なくとも１つの追加の加熱要素も含む。これに加えて、この少なくとも１つの追加の加熱要素はワイパブレードを加熱する働きもする。
【００２４】
少なくとも１つの熱伝導性循環導管が容器に出入りする連続循環経路の一部分を形成することが好ましい。
【００２５】
さらに、本発明のさらに別の好ましい実施態様によって、乗物表面を除氷する方法がさらに提供され、この方法は、ワイパアームと、ワイパブレードホルダと、ワイパブレードと、乗物表面に沿ってワイパアセンブリを移動させる働きをするワイパ駆動装置アセンブリとを含むワイパアセンブリを用意することと、ワイパアームとワイパブレードホルダとの少なくとも一方に隣接している少なくとも１つの熱伝導性循環導管を用意することと、容器中の液体を加熱することと、この少なくとも１つの熱伝導性循環導管を通して容器から液体を循環させることと、乗物表面に沿ってワイパアセンブリを移動させることとを含む。
【００２６】
本発明のさらに別の実施態様によって、乗物表面のクリーニングに使用するための加熱液体を供給する装置がさらに提供され、この装置は、液体が中を通してリザーバから受け取られる入口と、乗物表面をクリーニングするためにその液体が中を通して放出される出口とを有する容器と、この容器内の液体を加熱する働きをする加熱ユニットと、汚れレベル出力を与える汚れセンサと、少なくとも部分的に汚れレベル出力に応答して、非噴霧指示出力信号と少なくとも２つの異なる噴霧指示出力信号との少なくとも１つを生成する働きをする制御装置とを含む。
【００２７】
この制御装置は、少なくとも２つの異なる汚れレベル閾値に対して汚れレベル出力を比較する働きをすることが好ましい。この代わりに、または、これに加えて、少なくとも２つの異なる噴霧指示出力信号は、少なくとも２つの異なる加熱噴霧サイクルを生じさせる信号を含む。
【００２８】
この装置が、さらに、制御装置に対する少なくとも１つの追加の入力を提供する働きをする少なくとも１つの追加のセンサも含み、および、制御装置が、さらに、少なくとも２つの異なる噴霧指示出力信号を少なくとも部分的にこの少なくとも１つの追加の入力に基づかせる働きをすることが好ましい。これに加えて、少なくとも１つの追加のセンサは温度センサを含み、および、少なくとも１つの追加の入力は、この温度センサによって検出された温度を含む。この代わりに、または、これに加えて、制御装置は、さらに、少なくとも１つの追加のパラメータを計算することと、少なくとも２つの異なる噴霧指示出力信号を少なくとも部分的にこの少なくとも１つの追加のパラメータに基づかせる働きをする。これに加えて、少なくとも１つの追加のパラメータは、温度センサによって検出される温度の変化率を含む。
【００２９】
制御装置が、さらに、少なくとも１つの追加のパラメータを計算することと、少なくとも２つの異なる噴霧指示出力信号を少なくとも部分的にこの少なくとも１つの追加のパラメータに基づかせる働きをすることが好ましい。これに加えて、少なくとも１つの追加のパラメータは、汚れレベル出力の変化率を含む。
【００３０】
さらに、本発明のさらに別の好ましい実施態様によって、乗物表面のクリーニングに使用するための加熱液体を供給する方法も提供され、この方法は、液体を加熱するための容器を用意することと、液体をこの容器の中に受け入れることと、この液体を加熱することと、乗物表面の付近の汚れレベルを測定して汚れ出力レベルを提供することと、少なくとも部分的に汚れレベル出力に応答して、非噴霧指示出力信号と少なくとも２つの異なる噴霧指示出力信号との少なくとも１つを提供することとを含む。
【００３１】
さらに、本発明のさらに別の好ましい実施態様によって、乗物表面を除氷する装置も提供され、この装置は、乗物表面に沿って移動する働きをする、乗物表面を拭き取るための少なくとも１つのワイパと、少なくとも１つのワイパを駆動するモータと少なくとも第１の動作モードと第２の動作モードとにおいてモータを作動させる働きをするワイパ制御装置とを含むワイパアクチュエータとを含むワイパアセンブリを含み、このワイパ制御装置は、少なくとも１つのワイパが阻止されているか阻止されていないかを確認し、少なくとも１つのワイパが阻止されていない時に第１の動作モードにしたがってモータを作動させ、および、少なくとも１つのワイパが阻止されている時に第２の動作モードにしたがってモータを作動させる働きをする。
【００３２】
さらに、本発明のさらに別の好ましい実施態様によって、乗物表面を除氷する方法も提供され、この方法は、乗物表面を拭き取るための少なくとも１つのワイパと、少なくとも１つのワイパを駆動するモータとこのモータを制御する働きをするワイパ制御装置とを含むワイパアクチュエータシステムとを含む、ワイパアセンブリを用意することと、少なくとも１つのワイパが阻止されているか阻止されていないかを確認することと、少なくとも１つのワイパが阻止されていない時に第１の動作モードにしたがってモータを作動させることと、少なくとも１つのワイパが阻止されている時に第２の動作モードにしたがってモータを作動させることとを含む。
【００３３】
この確認することが、阻止閾値レベル（ｂｌｏｃｋｅｄ  ｔｈｒｅｔｈｏｌｄ  ｌｅｖｅｌ）を設定することと、ワイパアセンブリの動作パラメータを測定することと、この動作パラメータを阻止閾値レベルに対して比較することとを含む。これに加えて、阻止閾値レベルは、少なくとも１つのワイパの移動角度の関数である。この代わりに、または、これに加えて、第２の動作モードは、モータに適用されるべき最大動作レベルを設定することと、一定の時間期間中に最大動作レベルよりも小さいか等しい動作入力を与えることと、この時間期間の終了時に、少なくとも１つのワイパが阻止されているか阻止されていないかを確認することと、この少なくとも１つのワイパが阻止されている場合には、この少なくとも１つのワイパの方向を変えることとを含む。
【００３４】
最大動作レベルが阻止閾値レベルよりも大きいことが好ましい。あるいは、この代わりに、最大動作レベルがゼロである。別の代替案の実施態様では、最大動作レベルは阻止閾値レベルよりも低く、および、時間期間の終了時に確認することが、ワイパアセンブリの動作パラメータを測定することと、この動作パラメータを最大動作レベルに対して比較することとを含む。
【００３５】
別の好ましい実施態様では、第２の動作モードは、モータに適用されるべき最大動作レベルを設定することと、一定の時間期間中に最大動作レベルよりも小さいか等しい動作入力を与えることと、この時間期間の終了時に少なくとも１つのワイパの方向を変えることとを含む。
【００３６】
別の好ましい実施態様では、第２の動作モードは、時間期間を設定することと、時間期間中に、少なくとも１つのワイパが阻止される時にその少なくとも１つのワイパの位置に隣接した小さい区域の全体にわたってその少なくとも１つのワイパの迅速な前後移動を実現することと、時間期間の終了時に、少なくとも１つのワイパが阻止されているか阻止されていないかを確認することと、この少なくとも１つのワイパが阻止されている場合には、この少なくとも１つのワイパの方法を変えることとを含む。
【００３７】
本発明のさらに別の好ましい実施態様によって熱ヒューズがさらに提供され、この熱ヒューズは電力供給接続部を含み、この電力供給接続部は、第１の伝導性部分と、この第１の伝導性部分に電気的に連通しており、かつ、予め決められた温度よりも高い温度に加熱されることに応答して溶融する働きをする第２の伝導性部分と、予め決められた温度よりも高い温度に第２の伝導性部分を加熱することに応答して膨張して第１の伝導性部分に対する第２の伝導性部分の電気的連通を解除する形で第２の伝導性部分を移動させ、これによって電力供給接続部を経由した電力の供給を遮断する膨張非性の導電性部分とを含む。
【００３８】
この膨張性の非導電性部分が膨張して、熱ヒューズの方向配置に無関係に第２の伝導性部分を移動させることが好ましい。
【００３９】
さらに、本発明の別の好ましい実施態様によって、乗物と共に使用するための液体収集および再利用システムが提供され、この液体収集および再利用システムは、乗物に関連付けられている少なくとも１つの液体収集器と、少なくとも１つの液体収集器から液体が中を通して受け入れられる入口を有する、乗物に関連付けられている少なくとも１つの収集リザーバとを含む。
【００４０】
この収集リザーバが、乗物表面をクリーニングするために液体が中を通して放出される出口を含むことが好ましい。この代わりに、または、これに加えて、液体収集および再利用システムは、さらに、液体を加熱するための容器を含み、この容器は、液体が収集リザーバから中を通して受け取られる入口と、乗物表面をクリーニングするために液体が中を通して放出される出口とを有する。
【００４１】
別の好ましい実施態様では、少なくとも１つの液体収集器は、乗物空調ユニットからの液体排水を収集する働きをする。
【００４２】
別の好ましい実施態様では、液体収集および再利用システムは、さらに、少なくとも１つの液体収集器から未濾過の液体を受け入れる働きと、濾過された液体を少なくとも１つの収集リザーバに供給する働きとを行う少なくとも１つのフィルタも含む。これに加えて、または、この代わりに、液体収集および再利用システムは、さらに、少なくとも１つの前濾過弁（ｐｒｅ−ｆｉｌｔｒａｔｉｏｎ  ｖａｌｖｅ）も含む。これに加えて、液体収集および再利用システムは、さらに、排水管も含み、および、少なくとも１つの前濾過弁は、未濾過の液体が少なくとも１つのフィルタに到達することを可能にするフィルタ開き位置で動作し、および、フィルタ閉じ位置では、未濾過の液体を排水管に方向付ける。
【００４３】
本発明の別の好ましい実施態様では、液体収集および再利用システムは、さらに、液体レベルセンサによって検出された液体レベルに基づいて液体流を制御する働きをする液体流制御装置も含む。これに加えて、液体収集および再利用システムは、さらに、液体を液体加熱ユニットに供給する働きをする乗物リザーバも含み、および、液体レベルセンサはこの乗物リザーバ内の液体のレベルを測定し、および、液体流制御装置は、液体レベルセンサによって検出された液体レベルに基づいて乗物リザーバに液体を供給する働きをする。
【００４４】
別の好ましい実施態様では、液体収集および再利用システムは、さらに、少なくとも１つの追加のリザーバと、その液体収集および再利用システムの中を通過する複数の液体流を制御する働きをする液体流制御装置とを含む。これに加えて、少なくとも１つの追加のリザーバ内の液体は、少なくとも１つの収集リザーバ内の液体とは異なる液体である。これに加えて、液体流制御装置は、少なくとも１つの収集リザーバと少なくとも１つの追加のリザーバとからの液体の最適な混合を実現する働きをする。この代わりに、少なくとも１つの追加のリザーバと少なくとも１つの収集リザーバは互いに同一の液体を含む。
【００４５】
本発明のさらに別の好ましい実施態様によって、液体の収集および再利用のための方法がさらに提供され、この方法は、乗物に関連付けられている少なくとも１つの液体収集器を使用することと、乗物内に配置されている少なくとも１つの収集リザーバの中に液体を受け入れることとを含む。
【００４６】
この方法が、さらに、クリーニングされるべき乗物表面の上に出口を通して液体を放出することを含むことが好ましい。これに加えて、または、この代わりに、この方法は、さらに、液体を受け入れる前に液体を濾過することを含む。
【００４７】
本発明のさらに別の好ましい実施態様によって、乗物表面のクリーニングに使用するための加熱液体を供給する装置がさらに提供され、この装置は、液体が中を通してリザーバから受け取られる入口と、乗物表面をクリーニングするためにその液体が中を通して放出される出口とを有し、かつ、丸い末端部分を含む容器と、液体を加熱する働きをする熱伝導カバーであって、その内向きの表面上に形成されている湾曲断面部分を含み、かつ、この湾曲断面部分は、湾曲部分を各々が有する複数の突出断面を含む熱伝導カバーと、この熱伝導カバーを加熱する働きをする、熱伝導カバーに隣接している加熱要素とを含む。
【００４８】
丸い末端部分と、熱伝導カバーの湾曲断面部分と湾曲部分とが、熱伝導カバーから容器内に収容されている液体への改善された熱伝導を生じさせる容器内の液体循環を実現することが好ましい。これに加えて、または、この代わりに、丸い末端部分と、熱伝導カバーの湾曲断面部分と湾曲部分とが、容器内に収容されている液体の温度の改善された均一性を生じさせる容器内の液体循環を実現する。
【００４９】
丸い末端部分と、熱伝導カバーの湾曲断面部分と湾曲部分とが、容器内に収容されている液体とこの液体に接触している熱伝導カバーの一部分との間の第１の温度差において、容器内の概ね循環した流れを生じさせることが好ましい。これに加えて、または、この代わりに、丸い末端部分と、熱伝導カバーの湾曲断面部分と湾曲部分とが、容器内に収容されている液体とこの液体に接触している熱伝導カバーの一部分との間の第２の温度差において、容器内の複数の概ね循環した流れを生じさせる。
【００５０】
さらに、本発明のさらに別の好ましい実施態様によって、乗物表面のクリーニングに使用するための加熱液体を供給する方法も提供され、この方法は、丸い末端部分を含む、液体を加熱する容器を用意することと、液体がその丸い末端部分の中に流れ込むように容器内に液体を受け入れることと、この容器の上に重なる熱伝導カバーを加熱して、これによって熱伝導カバーを経由して丸い部分内の液体を加熱することと、この液体を出口を通して乗物表面上に放出することとを含み、および、この熱伝導カバーは、その内向きの表面上に形成されている湾曲断面部分を含み、この湾曲断面部分は、湾曲部分を各々が有する複数の突出断面を含む。
【００５１】
さらに、本発明のさらに別の好ましい実施態様によって、乗物表面を除氷する装置も提供され、この装置は、乗物表面に沿ってワイパアセンブリを移動させる働きをするワイパ駆動装置アセンブリと、ワイパアームと、ワイパブレードホルダと、ワイパブレードとを含むワイパアセンブリと、ワイパアームの少なくとも一部分とワイパブレードホルダの少なくとも一部分との少なくとも一方を直接的に加熱するための少なくとも１つの加熱要素とを含む。
【００５２】
この少なくとも１つの加熱要素がワイパブレードを加熱する働きもすることが好ましい。
【００５３】
この装置が、少なくとも１つの加熱要素を制御する働きをする制御装置も含むことが好ましい。
【００５４】
さらに、本発明のさらに別の好ましい実施態様によって、乗物表面を除氷する方法も提供され、この方法は、ワイパアームと、ワイパブレードホルダと、ワイパブレードと、乗物表面に沿ってワイパアセンブリを動かす働きをするワイパ駆動装置アセンブリとを含むワイパアセンブリを用意することと、ワイパアームの少なくとも一部分とワイパブレードホルダの少なくとも一部分との少なくとも一方を加熱することと、ワイパアセンブリを乗物表面に沿って移動させることとを含む。
【００５５】
さらに、本発明のさらに別の好ましい実施態様によって、乗物表面のクリーニングに使用するための加熱液体を供給する装置が提供され、この装置は、洗浄液体が中を通してリザーバから受け取られる入口と、乗物表面をクリーニングするためにその液体が中を通して放出される出口とを有する容器と、この容器内の液体を加熱するための加熱要素と、この装置の動作を制御するための制御装置と、この制御装置との通信状態にあるＲＦアクチュエータであって、制御装置との通信を開始してこの制御装置に対してこのＲＦアクチュエータを一意的に識別する働きをするＲＦアクチュエータとを含む。
【００５６】
この制御装置が、ＲＦアクチュエータからの待機モード起動を受け取る時に、加熱要素待機モード（ｈｅａｔｉｎｇ  ｅｌｅｍｅｎｔ  ｓｔａｎｄｂｙ  ｍｏｄｅ）にしたがってその装置を作動させる働きをすることが好ましい。これに加えて、または、この代わりに、制御装置は、ＲＦアクチュエータからの自動モード起動を受け取る時に、自動モードにしたがってその装置を作動させる働きをする。これに加えて、または、この代わりに、制御装置は、ＲＦアクチュエータからのＯＦＦ命令を受け取る時に、その装置をＯＦＦモードにする働きをする。
【００５７】
制御装置が、乗物のエンジンがＯＦＦ状態にある時にＲＦアクチュエータからの命令を無視する働きをすることが好ましい。これに加えて、制御装置は、乗物のバッテリの電圧レベルを測定することによって乗物のエンジンの状態を監視する働きをする。これに加えて、電圧レベルが予め決められたレベルよりも低い時には、乗物はＯＦＦ状態にある。
【００５８】
さらに、本発明のさらに別の好ましい実施態様によって、乗物表面のクリーニングに使用するための加熱液体を供給する装置が提供され、この装置は、液体が中を通してリザーバから受け取られる入口と、乗物表面をクリーニングするためにその液体が中を通して放出される出口とを有する容器と、この容器内の液体を加熱する働きをする加熱要素を含み、および、この容器の少なくとも一部分はゴムで形成されている。
【００５９】
添付図面に関連付けて行われる以下の詳細な説明から、本発明がより明確に理解され認識されるだろう。
【発明を実施するための最良の形態】
【００６０】
本明細書の文脈と特許請求項とで使用される術語「乗物」が、クリーニングおよび／または除氷を必要とする窓または他のあらゆる内側表面または外側表面を有する、自動車またはトラックのようなあらゆるタイプの車輪付き乗物と、船舶または航空機とを意味することが可能であるということが理解される。
【００６１】
さらに、本発明がヘッドライトまたは風防ガラスのクリーニングおよび除氷システムの文脈において示されているが、本発明のシステムと方法とが、例えば、前方および／または後方の風防ガラス、ミラー、窓ガラス、ヘッドライト、テールライト、レーダ、レードームを含む、あらゆる内側または外側の乗物表面のクリーニングおよび／または除氷に使用可能であるということが理解される。さらに、本発明のクリーニングおよび除氷システムは、さらに、非限定的に可視光、赤外光、ＲＦエネルギーおよびＵＶエネルギーのようなエネルギーを放出するかまたは受け取るあらゆる乗物表面をクリーニングおよび／または除氷するためにも使用できるということがさらに理解される。
【００６２】
本特許出願の文脈と特許請求項とにおいて使用される術語「クリーニング」と「除氷」とが、クリーニングおよび／または除氷を必要とする乗物の内側または外側の表面から氷、雪、および／または、あらゆる他の外来物質を取り除くための装置とシステムと方法とを意味するように、相互交換可能な形で使用されるということが理解される。
【００６３】
さらに、本特許出願の文脈と特許請求項とにおいて使用される術語「待機モード」が、噴霧のような加熱液体の放出に対する要求がオペレータによって発生されるかまたは自動的に発生される前に容器内の一定の量の液体が加熱される機能性を含む乗物液体加熱システムの動作を意味するということが理解される。これに加えて、本特許出願の文脈と特許請求項とにおいて使用される場合の術語「リザーバ待機モード」が、加熱液体の放出に対する要求がオペレータによって発生されるかまたは自動的に発生される前に乗物の液体リザーバ内の一定の量の液体が加熱される機能性を含む乗物液体加熱システムを意味する。
【００６４】
本特許出願の文脈と特許請求項とにおいて使用される術語「制御装置」が、本発明の乗物液体加熱システムの一部分を形成する制御装置、または、１つまたは複数の乗物コンピュータ、または、これらの任意の組合せを意味するだろうということが理解される。制御装置は、さらに詳細に後述するように、１つまたは複数の乗物コンピュータと１つまたは複数のセンサとに対して通信状態にあるだろう。
【００６５】
本特許出願の文脈と特許請求項とにおいて使用される術語「一次温度センサ」が、高い方および／または低い方の閾値が設定されている少なくとも１つの温度に関する情報を制御装置に提供する少なくとも１つの温度センサを意味するということが理解される。したがって、この「一次温度センサ」は、閾値が設定されている少なくとも１つの温度を示す働きをする。この「一次温度センサ」を含むこの１つまたは複数の温度センサが、例えば図１４から図１６を参照してさらに詳細に後述されるシステムの動作モードに応じて様々であるだろう。
【００６６】
本発明の制御装置は、複数の動作モードにおいて、少なくとも１つの閾値に基づいて液体の加熱および／または放出を制御する働きをし、および、この閾値は、予め決められているか、または、「リアルタイム」基準で設定される。少なくとも１つの閾値が、さらに詳細に後述するように、内側または外側の乗物装着センサ、すなわち、制御装置と無線通信する乗物内または乗物上に配置されていないセンサのような、制御装置と通信する１つまたは複数のセンサから受け取られる情報に依存するだろうということが理解される。
【００６７】
本特許出願と特許請求項との文脈において使用される術語「非熱伝導性の材料」と「熱伝導性の材料」が、それぞれに相対的に劣った熱伝導体と相対的に優れた熱伝導体であることが当業者に公知である材料を意味するということが理解される。
【００６８】
本特許出願の文脈と特許請求項とにおいて使用される術語「非導電性の材料」と「導電性の材料」が、それぞれに相対的に劣った導電体と相対的に優れた導電体であることが当業者に公知である材料を意味するということが理解される。
【００６９】
さて、本発明の好ましい実施形態にしたがって構成されておりかつ動作するヘッドライトクリーニングおよび除氷システムの単純化された実体図である図１Ａを参照する。図１Ａに示されているように、その他の点では従来通りである自動車１００が、ヘッドライトクリーニングおよび除氷システム１０２を含むことが見てとれる。
【００７０】
ヘッドライトクリーニングおよび除氷システム１０２が液体リザーバ１０６を含むことが好ましく、この液体リザーバは、水または防風ガラスクリーニング液のような液体を収容する。ポンプ１０８が液体流入導管１１２を通して液体加熱ユニット１１０に液体を供給することが好ましい。液体加熱ユニット１１０からの液体が、液体流出導管１１６と、乗物ヘッドライト１２２に隣接して配置されている噴霧器１２０に液体を供給する液体噴霧供給導管１１８とを経由して放出される。乗物ヘッドライト１２２をクリーニングおよび除氷するために、ワイパ１２６がヘッドライト１２２の前方に配置されていることが好ましい。
【００７１】
本発明の好ましい実施形態では、乗物ヘッドライト１２２の各々は従来通りの汚れセンサ１２８を備えている。このような従来通りの汚れセンサの一具体例が米国特許第４，２２４，５５１号明細書に説明されている。
【００７２】
液体加熱ユニット１１０は、電気ケーブル１３０を経由して乗物バッテリ１３２に接続されている。図２から図７を参照して後述される液体加熱ユニット１１０の好ましい実施形態が乗物内に配置されており、および、乗物の車軸によって画定されている平面に対して概ね垂直である矢印１３４によって示されている垂直軸線に沿って、流入導管１１２が液体加熱ユニット１１０の底部から中に入り、かつ、液体流出導管１１６が液体加熱ユニット１１０の頂部から外に出ることが好ましい。しかし、図２から図７の液体加熱ユニット１１０が車両内にあらゆる方向に取り付けられるだろうということが理解される。
【００７３】
あるいは、この代わりに、液体加熱ユニット１１０は、本出願人／本譲受人の米国特許第６，１６４，５６４号明細書、米国特許第６，６１５，４３８号明細書、米国特許第６，６６９，１０５号明細書、米国特許第６，８９２，４１７号明細書、米国特許第７，１０８，７５４号明細書と、本出願人／本譲受人の米国特許出願番号１１／２０３，７７９、米国特許出願番号１１／７００，１４１、米国特許出願番号１０／４７７，４８６、米国特許出願番号１０／５３１，９７９、および、本出願人／本譲受人のＰＣＴ出願番号ＰＣＴ／ＩＬ２００５／００１７９に説明されている液体加熱装置を非限定的に含む、乗物内で使用するのに適しているあらゆる液体加熱装置であってよい。
【００７４】
例示されている実施形態が独立したリザーバ１０６を示しているが、ヘッドライトクリーニングおよび除氷システム１０２が、液体加熱ユニット１１０に液体を供給するために既存の乗物リザーバ（図示されていない）を使用するだろうということが理解される。
【００７５】
アクチュエータパネル１４０が、典型的には、乗物ダッシュボード上に配置されており、かつ、ヘッドライトクリーニングおよび除氷システム制御装置１５０との通信状態にあるアクチュエータ（図示されていない）を含む。このヘッドライトクリーニングおよび除氷システム制御装置１５０が、さらに、既存の乗物コンピュータ（図示されていない）に接続されていることも好ましい。アクチュエータパネル１４０が、少なくとも２つの操作者アクチュエータボタン、すなわち、即時噴霧モードでの動作を起動するための第１のアクチュエータボタンと、高温噴霧モードでの動作を起動するための第２のアクチュエータボタンとを含むことが好ましい。あるいは、この代わりに、この２つの機能性が、複数の作動機能性を有する単一の操作者アクチュエータボタンの中に含まれてもよい。
【００７６】
本発明の好ましい実施形態では、アクチュエータパネル１４０は、制御装置１５０および／または乗物コンピュータとＲＦ通信状態にあり、好ましくは無線ＲＦ通信状態にある。あるいは、この代わりに、アクチュエータパネル１４０は、制御装置１５０および／または乗物コンピュータと有線通信状態にあるだろう。別の代替案の実施形態では、アクチュエータパネル１４０が取り除かれ、かつ、制御装置１５０および／または乗物コンピュータとＲＦ通信する可搬型のアクチュエータが備えられるだろう。
【００７７】
図示されている実施形態では、アクチュエータパネル１４０は３つの起動ボタン１５２、１５４、１５６を含む。典型的には、起動ボタン１５２は、待機モードの機能性に割り当てられており、起動ボタン１５４は高温噴霧モード機能性のような自動モード機能性に割り当てられており、起動ボタン１５６はＯＦＦの機能性に割り当てられている。
【００７８】
アクチュエータ１４０は、さらに、乗物の操作者に対してシステム状態情報を提供するための複数のＬＥＤ表示装置も含むことが好ましい。図示されている実施形態では、待機モードＬＥＤ１６０と自動モードＬＥＤ１６２とが含まれている。
【００７９】
本発明のシステムが、新しい自動車内の窓ガラス洗浄システムの一部分として取り付けられてもよく、または、既存の洗浄システムの中に後付けされてもよいということが理解される。
【００８０】
さらに、液体加熱ユニット１１０とポンプ１０８とが、ヘッドライトクリーニングおよび除氷システム制御装置１５０および／または乗物コンピュータとの電気的な通信状態にあることが好ましいということが理解される。これに加えて、ヘッドライトクリーニングおよび除氷システム制御装置１５０が乗物コンピュータと電気的に通信状態にあることが好ましいということが理解される。あるいは、この代わりに、ヘッドライトクリーニングおよび除氷システム制御装置１５０の機能性が乗物コンピュータ内に含まれてもよく、かつ、独立したヘッドライトクリーニングおよび除氷システム制御装置１５０が省略されてもよい。
【００８１】
汚れセンサ１２８がヘッドライトクリーニングおよび除氷システム制御装置１５０および／または既存の乗物コンピュータと通信状態にあることが好ましい。本発明の好ましい実施形態では、汚れセンサ１２８は、ヘッドライトクリーニングおよび除氷システム制御装置１５０または乗物コンピュータに対して検出された汚れ表示を送信する働きをする。ヘッドライトクリーニングおよび除氷システム制御装置１５０または乗物コンピュータは、汚れセンサ１２８によって検出された汚れの度合いが第１の閾値を越えるかどうかを確認し、この第１の閾値を越える場合に、予め決められた時間期間の後に液体の放出を生じさせるための制御信号のような第１の制御信号をポンプ１０８に送信する働きをする。ヘッドライトクリーニングおよび除氷システム制御装置１５０または乗物コンピュータは、さらに、汚れセンサ１２８によって検出された汚れの度合いが第２の閾値を越えるかどうかを確認し、この第２の閾値を越える場合に、液体の即時的な放出を生じさせるための制御信号のような第２の制御信号をポンプ１０８に送信する働きをする。
【００８２】
本発明の好ましい実施形態では、ヘッドライトクリーニングおよび除氷システム制御装置１５０および／または乗物コンピュータが、汚れセンサから受け取られた入力に基づいた液体放出サイクルを実現する働きをし、および、これに加えて１つまたは複数の入力を利用するだろう。液体放出サイクルは即時的に開始されてもよいし、または、液体加熱ユニット内の液体がその時間期間中に加熱される適切な時間期間の後に開始されてもよいということが理解される。さらに、図８から図９Ｂを参照して後述される放出モードのいずれかまたは全てが、上述されておりかつ図１Ａに示されている機能性に関連付けて使用できることも理解される。
【００８３】
ヘッドライトクリーニングおよび除氷システム制御装置１５０および／または乗物コンピュータが、さらに、液体加熱ユニット１１０内に収容されている温度センサ（図示されていない）によって検出された温度、または、ヘッドライト１２２に隣接しているか、または、クリーニングおよび／または除氷されるべき他のあらゆる乗物表面に隣接している温度センサ（図示されていない）によって検出された温度のような、追加の入力も受け取るだろうということが理解される。汚れセンサ１２８によって検出された汚れの度合いの変化率、および／または、１つまたは複数の温度センサによって検出された温度の変化率のような追加のパラメータが、ヘッドライトクリーニングおよび除氷システム制御装置１５０または乗物コンピュータによって計算されるだろう。
【００８４】
次に、本発明の別の好ましい実施形態にしたがって構成されておりかつ動作するヘッドライトクリーニングおよび除氷システムの単純化された実体図である図１Ｂを参照する。図１Ｂの実施形態は、この図１Ｂの実施形態ではヘッドライトクリーニングおよび除氷システム１０２が、乗物ヘッドライン１２２のようなクリーニングおよび／または除氷されるべき乗物表面に隣接して配置されている１つまたは複数の噴霧器１２０に液体を各々が供給する複数の液体加熱ユニット１１０を含むということを除いて、図１Ａの実施形態に類似している。
【００８５】
図１Ｂに見てとれるように、この実施形態では、ヘッドライトクリーニングおよび除氷システム１０２が、複数の液体流入導管１１２の中を通してリザーバ１０６から１つまたは複数の加熱ユニット１１０に液体を各々が供給する複数のポンプ１０８を含むことが好ましい。図１Ｂの図示されている実施形態では単一のリザーバ１０６が備えられているが、複数のリザーバ１０６が備えられてもよいということが理解される。その次に、液体加熱ユニット１１０からの液体が、乗物ヘッドライト１２２に隣接して配置されている噴霧器１２０に液体を供給する複数の液体噴霧供給導管１１８を通って流れる。ワイパ１２６が、液体を拭き取って乗物ヘッドライト１２２をクリーニングまたは除氷するために、ヘッドライト１２２の前方に配置されていることが好ましい。
【００８６】
図１Ｂからさらに見てとれるように、複数の汚れセンサ１２８が、個別的に認識可能な信号をヘッドライトクリーニングおよび除氷システム制御装置１５０に対して送る働きをすることが好ましい。液体加熱ユニット１１０とポンプ１０８とがヘッドライトクリーニングおよび除氷システム制御装置１５０および／または乗物コンピュータと電気的な通信状態にあることが好ましいということが理解される。さらに、ヘッドライトクリーニングおよび除氷システム制御装置１５０が乗物コンピュータと電気的な通信状態にあることが好ましいということが理解される。あるいは、この代わりに、ヘッドライトクリーニングおよび除氷システム制御装置１５０の機能性が乗物コンピュータ内に含まれてもよく、かつ、このヘッドライトクリーニングおよび除氷システム制御装置が省略されてもよい。
【００８７】
本発明の好ましい実施形態によって、ヘッドライトクリーニングおよび除氷システム制御装置１５０および／または乗物コンピュータは、図１Ａを参照して上述したように、少なくとも１つの汚れセンサ１２８から受け取られた入力に基づいて液体放出サイクルを実現する働きをし、および、これに加えて１つまたは複数の入力を使用してもよい。液体放出サイクルは即時的に開始されてもよいし、または、液体加熱ユニット内の液体がその時間期間中に加熱される適切な時間期間の後に開始されてもよいということが理解される。さらに、図８から図９Ｂを参照して後述される放出モードのいずれかまたは全てが、上述されておりかつ図１Ｂに示されている機能性に共に使用できることも理解される。
【００８８】
図１Ｂの実施形態では、ヘッドライトクリーニングおよび除氷システム制御装置１５０が、単一の汚れセンサ１２８から受け取られた入力信号に応答して、この入力信号を生成した汚れセンサ１２８に対応する特定の液体加熱ユニット１１０および／またはポンプ１０８だけを作動させる働きをすることが好ましい。あるいは、この代わりに、複数の加熱ユニット１１０および／または複数のポンプ１０８が、単一の汚れセンサ１２８から受け取られた入力によって生成された加熱放出起動に応答して作動させられるだろう。
【００８９】
次に、本発明のヘッドライトクリーニングおよび除氷システムと共に使用するのに適している好ましい液体加熱ユニットの単純化された分解組立実体図である図２と、図２の加熱ユニットの一部分を示す図３Ａ、図３Ｂ、図４Ａ、図４Ｂ、図５Ａ、図５Ｂを参照する。図２に見てとれるように、液体加熱ユニット１１０が、第１の断熱カバーアセンブリ２００と、電気接触部分２０４と、加熱要素２０６と、熱伝導カバー２１０のような熱伝導要素と容器２１２のような少なくとも１つの密封要素とを含む液体容器２０８と、絶縁カバー連結フレーム２１６と、第２の断熱カバーアセンブリ２２０とを含むことが好ましい。
【００９０】
第１の断熱カバーアセンブリ２００が、両方ともステンレス鋼材で形成されておりかつその内側を外側から封止するために外側端縁２３４の周りで互いに溶接されている、外側部分２３０と内側部分２３２とを含むことが好ましい。外側部分２３０と内側部分２３２との間に画定されている体積２３６が断熱を強化するために真空に維持されることが好ましい。
【００９１】
電気接触部分２０４が、電気ケーブル１３０（図１Ａ）を介して乗物バッテリ１３２（図１）に接続されているワイヤ２４２と電気的な接触状態にあるプリント回路基板２４０を備えることが好ましい。
【００９２】
加熱要素２０６が抵抗タイプのヒータであることが好ましく、および、ワイヤ２５２を介してプリント回路基板２４０にその加熱要素２０６の正の端子２５０において接続されていることが好ましい。加熱要素２０６の外側表面２５４が熱伝導性材料で形成されていることが好ましい。
【００９３】
図示されている実施形態の熱伝導カバー２１０のような、液体容器２０８の熱伝導要素がアルミニウムまたは他の任意の適切な熱伝導性材料で作られていることが好ましい。熱伝導カバー２１０が、その外向き表面２５６上に、加熱要素２０６が中に入れられている加熱要素ホルダ２６０を含み、加熱要素２０６の負の端子との電気的な接続部を形成することが好ましい。複数のスペーサ２６４が外向き表面２５６上に形成されていることが好ましい。プリント回路基板２４０がスペーサ２６４に取り付けられていることが好ましい。
【００９４】
特に、図３Ｂと図５Ｂとに見てとれるように、熱伝導カバー２１０の内向き表面２６６が、各々が湾曲部分２７２を有する形に形成されてもいることが好ましい複数の突出部分２７０を含む、湾曲した断面を有する部分２６８を有する形に形成されていることが好ましい。
【００９５】
図示されている実施形態の容器２１２のような液体容器２０８の少なくとも１つの密封要素が、ゴム、成形プラスチック、または、他の任意の適切な非熱伝導性材料で形成されていることが好ましく、および、一次加熱チャンバ２８０のような第１の加熱チャンバと、二次加熱チャンバ２８２のような第２の加熱チャンバとを含むことが好ましい。あるいは、この代わりに、容器２１２が熱伝導性材料で形成されていてもよい。本発明の好ましい実施形態では、容器２１２が、この容器２１２内の液体の凍結によって生じさせられる膨張と収縮に起因する容器２１２の破壊を防止するために、好ましくはゴムまたは他の任意の適切な材料で形成されている少なくとも１つの可とう性の壁部分を含む。別の代替案の実施形態では、液体容器２０８は任意の適切な熱伝導性材料で一体状に形成されるだろう。
【００９６】
図示されている実施形態では熱伝導カバー２１０が液体容器２０８の単一の外壁を画定するが、本発明の熱伝導要素が、液体容器２０８の少なくとも１つの外壁の少なくとも一部分を画定しており、かつ、その中に配置されている第１および第２の加熱チャンバと加熱要素２０６とに直接的に熱接触している、任意の適切に形状構成されている要素であるだろうということが理解される。例えば、代替案の実施形態では、容器２１２は熱伝導性材料で形成されているだろうし、カバー２１０が非熱伝導性材料で形成されているだろうし、かつ、加熱要素２０６が容器２１２の外側表面に隣接して配置されているだろう。
【００９７】
一次加熱チャンバ２８０と二次加熱チャンバ２８２とを隔てる壁２８４が、一次加熱チャンバ２８０と二次加熱チャンバ２８２との間の流体連通を可能にするために、その末端にノッチ２８８を有する形に形成されていることが好ましい。二次加熱チャンバ２８２が、液体流入導管１１２を通してリザーバ１０６と流体連通している液体流入コネクタ穴２９０を有する形に形成されていることが好ましい。一次加熱チャンバ２８０が、液体流出導管１１６と液体噴霧供給導管１１８とを通して噴霧器１２０と流体連通している流体流出コネクタ穴２９２を有する形に形成されていることが好ましい。
【００９８】
図１Ｂの実施形態では、流体流出コネクタ穴２９２が液体噴霧供給導管１１８を通して噴霧器１２０と流体連通していることが好ましい。液体流入コネクタ穴２９０と液体流出コネクタ穴２９２とが、そのコネクタ穴の中へのコネクタの挿入のためにねじ山が付けられていることが好ましい。
【００９９】
一次加熱チャンバ２８０が、熱伝導カバー２１０の複数の突出部分２７０を受け入れるために単一の空洞２９４として形成されていることが好ましい。図３Ｂに見てとれるように、空洞２９４が、熱伝導カバー２１０の反対側に位置した末端２９６において丸くされていることが好ましい。図６を参照して後述するように、二次加熱チャンバ２８２が、この二次加熱チャンバ２８２の中を液体流が通ることを容易にするために、様々な長さの複数の壁部分２９８を含むことが好ましい。複数の壁部分２９８が壁２８４に対して概ね平行な方向に配置されていることが好ましい。
【０１００】
熱伝導カバー２１０が、液密性シールを実現するためにねじ（図示されていない）を使用して容器２１２に連結されていることが好ましい。
【０１０１】
断熱カバー連結フレーム２１６が、ゴム、成形プラスチック、または、他の任意の適切な非熱伝導性材料で形成されており、かつ、第１の断熱カバーアセンブリ２００と第２の断熱カバーアセンブリ２２０とを互いに封止する働きをすることが好ましい。フレーム２１６は、さらに、ワイヤ挿入穴３００と、液体流入穴３０２と、液体流出穴３０４とを含む。
【０１０２】
第２の断熱カバーアセンブリ２２０が外側部分３３０と内側部分３３２とを含み、この外側部分２３０と内側部分２３２がステンレス鋼材で形成されており、外側端縁３３４の周りで互いに溶接されており、かつ、その間の体積３３６内に真空が維持されることを可能にするように封止されていることが好ましい。
【０１０３】
特に図３Ｂに見てとれるように、液体加熱ユニット１１０は、さらに、それぞれに液体流入導管１１２（図１Ａ）と液体流出導管１１６（図１Ａ）とに連結されている液体入口コネクタ３４０と液体出口コネクタ３４２とを含む。図１Ｂの実施形態では、液体出口コネクタ３４２は液体噴霧供給導管１１８に連結されている。
【０１０４】
液体加熱ユニット１１０が、さらに、熱伝導カバー２１０と接触している第１の温度センサ３５０と、二次加熱チャンバ２８２内の液体と接触している第２の温度センサ３５２とを含むことが好ましい。この代わりに、第１の温度センサ３５０が一次加熱チャンバ２８０内の液体と接触しているだろう。第１の温度センサ３５０と第２の温度センサ３５２とが制御装置３５０と電気的な接続状態にあることが好ましい。
【０１０５】
制御装置１５０が、図８から図９Ｂと図１４と図１５とを参照して後述する機能性を提供する働きをすることが好ましい。
【０１０６】
図３Ｂに特に見てとれるように、本発明の好ましい実施形態では、液体加熱要素１１０が、さらに、典型的には液体容器２０８内の液体の欠如によって引き起こされる、液体加熱ユニット１１０の過熱に応答して、電力を加熱要素２０６から断路する働きをする熱ヒューズ３６０を含むことが好ましい。熱ヒューズ３６０は、銅、または、他の適切な熱伝導性かつ導電性の材料で形成されていることが好ましい、好ましくはその第１の伝導性部分３６４内に形成されているねじ末端３６２によって、熱伝導カバー２１０に連結されている。この熱ヒューズ３６０は、さらに、非導電性材料、典型的にはＧｅｎｅｒａｌ  Ｅｌｅｃｔｒｉｃ  Ｃｏｍｐａｎｙ（Ｆａｉｒｆｉｅｌｄ，ＣＴ  ０６８２８，ＵＳＡ）によって製造されているＵＬＴＥＭTM  １０００のようなプラスチックで形成されていることが好ましい非導電性部分３６６と、はんだまたは他の適切な材料のような熱伝導性かつ導電性の材料で形成されていることが好ましい第２の伝導性部分とを含む。非導電性部分３６６と第２の伝導性部分３６８は、電気ワイヤ３７２の末端を位置決めするように形状構成されている。電気ワイヤ３７２の反対側の末端３７４がプリント回路基板２４０に接続されている。
【０１０７】
熱ヒューズ３６０は、熱伝導カバー２１０のような任意の加熱された表面に接触している時に、予め決められた温度において過熱保護を実現する働きをする。この予め決められた温度は、第２の伝導性部分３６８の溶融温度によって決まる。過熱の発生時には、非導電性部分３６６が膨張して、溶融した第２の伝導性部分３６８が伝導性部分３６４との電気的接触を解除されることを引き起こし、これによってワイヤ３７２を第１の伝導性部分３６４から断路する。
【０１０８】
第２の伝導性部分３６８が溶融し始めるまで、非導電性部分３６６の膨張が第２の伝導性部分３６８を移動させるのに十分な力を与えないことが好ましいということが理解される。熱ヒューズ３６０は、重力に対する熱ヒューズ３６０の方向配置とは無関係に、上述したように動作することが好ましい。第２の伝導性部分３６８が移動させられ終わった後に、非導電性部分３６６が、熱ヒューズ３６０の方向配置とは無関係に、ワイヤ３７２の末端３７０が第１の伝導性部分３６４に電気的に接触することを防止するということが理解される。
【０１０９】
熱ヒューズ３６０が、あらゆる加熱される表面と協働して過熱保護を実現するために使用できるということが理解される。これに加えて、熱ヒューズ３６０が、過熱の発生時に電気的な断路を実現するために、特定の体積の加熱された気体のような任意の加熱された体積内で使用されるだろう。
【０１１０】
次に、液体加熱ユニット１１０のアセンブリのための好ましい方法を説明する。
【０１１１】
第１の断熱カバーアセンブリ２００が、上述したように、外側端縁２３４の周りで外側部分２３０と内側部分２３２とを溶接することと、この外側部分２３０と内側部分２３２との間の体積を真空状態にすることと、この体積を封止することとによって形成されることが好ましい。第２の断熱カバーアセンブリ２２０が、上述したように、外側端縁３３４の周りで外側部分３３０と内側部分３３２とを溶接することと、この外側部分３３０と内側部分３３２の間の体積を真空状態にすることと、この体積を封止することとによって形成されることが好ましい。
【０１１２】
液体容器２０８は、備えられているねじ（図示されていない）とねじ穴とを使用して、熱伝導カバー２１０を容器２１２に取り付けることによって形成される。プリント回路基板２４０が熱伝導カバー２１０上のスペーサ２６４に取り付けられていることが好ましい。加熱要素２０６が加熱要素ホルダ２６０の中に挿入されていることが好ましく、および、ワイヤ２５２を介してプリント回路基板２４０に接続されることが好ましい。
【０１１３】
第２の断熱カバーアセンブリ２２０が、好ましくはプラスチック発泡体である断熱材料の層４００によって部分的に満たされ、および、その次に、断熱カバー連結フレーム２１６に封止状に取り付けられる。その次に、容器２１２と熱伝導カバー２１０とを含む液体容器２０８は、加熱要素２０６とこれに取り付けられている電気接触部分２０４と共に、ワイヤ挿入穴３００の中を通して挿入されるワイヤ２４２と共に断熱カバー連結フレーム２１６の中に挿入される。その次に、液体入口コネクタ３４０が液体流入穴３０２の中を通して挿入され、および、液体流入コネクタ穴２９０に封止状に連結されることが好ましい。その次に、液体出口コネクタ３４２が液体流出穴３０４の中を通して挿入され、および、液体流出コネクタ穴２９２に封止状に連結されることが好ましい。好ましくはプラスチック発泡体である追加の断熱材料の層４０４が液体容器２０８の上方に挿入され、および、その次に、第１の断熱カバーアセンブリ２００が断熱カバー連結フレーム２１６に封止状に取り付けられる。
【０１１４】
図１Ａから図５Ｂの図示されている実施形態では加熱要素２０６が液体容器２０８の外に配置されているが、別の実施形態（図示されていない）では、加熱要素が、液体容器２０８または他の任意の適切な液体容器のような液体容器に対して内側に配置されているだろうということが理解される。
【０１１５】
第１および／または第２の断熱カバーおよび／または上述した断熱材料が、開示内容が本明細書に引例として組み入れられている本出願人／本譲受人の米国特許第６，１６４，５６４号明細書、米国特許第６，６１５，４３８号明細書、米国特許第６，６６９，１０５号明細書、米国特許第６，８９２，４１７号明細書、米国特許第７，１０８，７５４号明細書と、本出願人／本譲受人の米国特許出願番号１１／２０３，７７９、米国特許出願番号１０／７００，１４１、米国特許出願番号１０／４７７，４８６、米国特許出願番号１０／５３１，９７９、および、本出願人／本譲受人のＰＣＴ出願番号ＰＣＴ／ＩＬ２００５／００１７９とに説明されている液体加熱ユニットを非限定的に含む、任意の適切な液体加熱ユニットと共に使用されることが可能であるということが理解される。
【０１１６】
さらに、図１Ａから図５Ｂの図示されている実施形態では第１の断熱カバーアセンブリ２００と第２の断熱カバーアセンブリ２２０とが断熱カバー連結フレーム２１６と共に液体容器２０８全体を包囲しているが、第１の断熱カバーアセンブリ２００または第２の断熱カバーアセンブリ２２０のどちらかまたは両方が省略されることが可能であり、および、例えば加熱要素２０６の区域をカバーする断熱カバーのような液体容器２０８の一部分だけをカバーする、真空に維持された体積を含むことが好ましい適切な断熱カバーが備えられてもよいということも理解される。
【０１１７】
次に、中を通過する液体流を示す図１Ａから図５Ｂの加熱ユニットの容器の単純化された実体図である図６を参照する。図６に見てとれるように、液体が、矢印４５０で示されているように液体流入コネクタ穴２９０の中を通って容器２１２の中に入り、および、二次加熱チャンバ２８２の中に入る。液体が、矢印４５２で示されているように、壁２８４内のノッチ２８８の中を通って複数の壁部分２９８の間を流れ、および、一次加熱チャンバ２８０の中に入る。その次に、液体は、矢印４５６で示されているように、一次加熱チャンバ２８０の中を通って流れ、および、矢印４５８で示されているように、液体流出コネクタ穴２９２の中を通って流れる。上述の液体の流れがポンプ１０８の動作によって駆動されるということが理解される。
【０１１８】
図２から図６に見てとれるように、加熱要素２０６が液体容器２０８の外側に位置しており、したがってこの液体容器内に収容されている液体とは接触していないということが理解される。
【０１１９】
次に、図１Ａから図６の加熱ユニットの一次加熱チャンバ２８０内の循環液体流の単純化された図である図７を参照する。図７に見てとれるように、液体は、主に、矢印５００で示されている外側の循環流と矢印５０２、５０４によって示されている内側の循環流との形で空洞２９４内を流れる。矢印５００で示されている外側の循環流と、矢印５０２、５０４によって示されている内側の循環流は、主として、空洞２９４内に収容されている液体と、空洞２９４内に収容されている液体と接触している熱伝導カバー２１０の一部分との間の温度差によって駆動される。矢印５００、５０２、５０４によって示されている流れが、部分２６８と湾曲部分２７２と末端２９６との曲率に依存していることが理解される。
【０１２０】
本出願人によって行われた試験とシミュレーションでは、本出願人は、空洞２９４内の液体と、この液体と接触している熱伝導カバー２１０の一部分との間の温度差が約１５℃に達する時に、液体が、主として、矢印５００で示されている単一の外側の循環流の形で空洞２９４全体を循環するということを発見した。空洞２９４内の液体と、この液体と接触している熱伝導カバー２１０の一部分との間の温度差が約２５℃に達すると、内側の液体流が変化して、矢印５０２、５０４で示されている内側の循環流を形成する。
【０１２１】
図７を参照して上述した矢印５００、５０２、５０４によって示されている流れが、空洞２９４内の液体の加熱における均一性の向上と、空洞２９４内に収容されている液体に対する熱伝導カバー２１０からの熱伝導の増大とを実現することが理解される。さらに、図１Ａに示されている軸線１３４に沿った好ましい方向配置において液体加熱ユニットが乗物内に配置されている時に、図７を参照して上述した矢印５００、５０２、５０４によって示されている流れが存在するということが理解される。
【０１２２】
ポンプ１０８が起動されておらずかつ容器２１２内の液体の温度が熱伝導カバー２１０の温度よりも低い時にさえ、図７を参照して上述した矢印５００、５０２、５０４によって示されている流体の流れが、容器２１２内で生じるということが理解される。
【０１２３】
次に、即時噴霧モードと高温噴霧モードと待機モードとを含む図１Ａから図７のシステムの好ましい動作モードの単純化された流れ図である図８と、それぞれに即時噴霧モードと高温噴霧モードの単純化された流れ図である図９Ａと図９Ｂとを参照する。
図８に見てとれるように、制御装置１５０が、典型的には５０ミリ秒毎に、乗物の点火装置がＯＮにされているかどうかを周期的に調べる。制御装置１５０が乗物点火装置がＯＮであることを検出すると、この制御装置１５０は、典型的には５０ミリ秒毎に、典型的には１２ボルトである最低電圧ＭＩＮVよりもエンジン電圧が高いかどうかを周期的に調べる。制御装置１５０は、さらに、他の乗物パラメータが予め決められた範囲内にあることを確実なものにするように働くだろう。
【０１２４】
制御装置１５０は、点火装置がＯＮであることと最小電圧閾値が満たされていることとを検出する時に、さらに詳細に後述される予め決められた待機閾値温度に基づいて待機モードにしたがって加熱要素２０６の動作を制御する働きをすることが好ましい。図８に見てとれるように、この待機モードが、乗物の点火装置がＯＦＦにされるまで動作サイクルの繰り返しを実現することが好ましい。
【０１２５】
あるいは、この代わりに、制御装置１５０は、乗物操作者から待機起動信号を受け取る時にだけ、かつ、ＯＦＦ信号がその乗物操作者から受け取られるまで、待機モードで動作するだろう。この実施形態では、乗物操作者から待機起動信号を受け取る時に、制御装置１５０は、点火装置がＯＮであることと、加熱要素待機モードで動作する前に最小電圧閾値が満たされていることを確実なものにする働きをするということが理解される。制御装置１５０は、さらに、待機モードで作動する前に、その他のパラメータが予め決められた範囲内にあることとを確実なものにする働きをするだろう。
【０１２６】
図８の実施形態では、制御装置１５０は、待機モードで動作する時に、例えば、操作者の起動によって、または、汚れセンサ１２８または他の任意のセンサから受け取られた信号に応答して、動作が即時噴霧モードですでに起動されているかどうかを調べる働きをする。
【０１２７】
即時噴霧モードがすでに起動されている場合には、制御装置１５０は、図９Ａを参照して後述する即時噴霧モードまたは他の任意の適切な即時噴霧モードのような即時噴霧モードにしたがってポンプ１０８を作動させる働きをする。即時噴霧モードがまだ起動されていない場合には、制御装置１５０は、例えば、操作者の起動によって、または、汚れセンサ１２８または他の任意のセンサから受け取られた信号に応答して、高温噴霧モードがすでに起動されているかどうかを調べる働きをする。
【０１２８】
高温噴霧モードがすでに起動されている場合には、制御装置１５０は、図９Ｂを参照して後述する高温噴霧モードまたは他の任意の適切な高温噴霧モードのような高温噴霧モードにしたがって加熱要素２０６とポンプ１０８との作動を制御する働きをする。高温噴霧モードがまだ起動されていない場合には、制御装置１５０は、温度センサ３５０によって検出された温度が待機モードの最低温度ＭＩＮS（典型的には５０℃）よりも低いかどうかを調べる働きをする。温度センサ３５０によって検出された温度がＭＩＮSよりも低い場合には、制御装置１５０は加熱要素２０６をＯＮにする働きをする。その次に、制御装置１５０は、温度センサ３５０によって検出された温度が待機モードの最高温度ＭＡＸS（典型的には５７℃）よりも高いかどうかを調べる働きをする。温度センサ３５０によって検出された温度がＭＡＸSよりも高い場合には、制御装置１５０は加熱要素２０６をＯＦＦにする働きをする。
【０１２９】
図９Ａの図示されている実施形態に見てとれるように、即時噴霧モードが起動されると、制御装置１５０は、典型的には０．３−０．４秒のような短い持続時間である第１の噴霧持続時間ＴIS1にわたって第１の噴霧を提供するためにポンプ１０８を作動させる働きをする。制御装置１５０が液体容器２０８内の液体の温度とは無関係に第１の噴霧を提供するためにポンプ１０８を作動させるということが理解される。図示されている実施形態の即時モードでは、第１の噴霧の後に、典型的は約７秒である持続時間ＴIWの待機期間が続き、さらに、その後に、典型的には第１の噴霧よりも長い持続時間（好ましくは約１秒）の第２の噴霧持続時間ＴIS2にわたって第２の噴霧が続く。
【０１３０】
図９Ａの図示されている実施形態に見てとれる即時噴霧モードが単なる例示のためであるに過ぎないということと、制御装置１５０が他の任意の適切な即時噴霧モードを実現するためにポンプ１０８を作動させる働きをするだろうということが理解される。
【０１３１】
このシステムは、液体流入導管１１２の中を通して二次加熱チャンバ２８２の中に液体を供給するためにポンプ１０８を作動させることによって即時噴霧モードの第１の噴霧と第２の噴霧とを実現する働きをし、このことが、図６を参照して上述したように、液体が二次加熱チャンバ２８２から一次加熱チャンバ２８０の中に流れ、および、一次加熱チャンバ２８０から液体流出導管１１６および／または液体噴霧供給導管１１８の中を通って噴霧器１２０に流れることを引き起こす。
【０１３２】
次に図９Ｂを参照すると、高温噴霧モードが起動されると、制御装置１５０が、加熱要素２０６をＯＮにして、温度センサ３５０によって検出される温度が、高温噴霧に関する最小閾値ＭＩＮH（典型的には６５℃）よりも高いかどうかを調べる働きをする。
【０１３３】
ＭＩＮHがまだ越えられていない場合には、制御装置１５０は、例えば、操作者の起動によって、または、汚れセンサ１２８または他の任意のセンサから受け取られた信号に応答して、即時噴霧モードがすでに起動されているかどうかを調べる働きをする。即時噴霧モードがすでに起動されている場合には、制御装置１５０は、図９Ａを参照して上述した即時噴霧モードまたは他の任意の適切な即時噴霧モードのような即時噴霧モードにしたがってポンプ１０８を作動させる働きをする。即時噴霧モードがまだ起動されていない場合には、制御装置１５０は戻って、温度センサ３５０によって検出された温度がＭＩＮHよりも高いかどうかを再び調べる働きをする。
【０１３４】
図９Ｂの図示されている高温噴霧モードの実施形態では、温度センサ３５０によって検出された温度がＭＩＮHを越える時に、制御装置１５０は、第１の噴霧を供給するためにポンプ１０８を作動させる働きをする。第１の噴霧が、第１の噴霧の時間期間ＴHS1（好ましくは０．３−０．４秒）間の短時間の噴霧であることが好ましい。第１の噴霧中に、制御装置１５０は、典型的には５０ミリ秒毎に、例えば、操作者の起動によって、または、汚れセンサ１２８または他の任意のセンサから受け取られた信号に応答して、即時噴霧モードがすでに起動されているかどうかを調べる働きをする。即時噴霧モードがすでに起動されている場合には、制御装置１５０は、図９Ａを参照して上述した即時噴霧モードまたは他の任意の適切な即時噴霧モードのような即時噴霧モードにしたがってポンプ１０８を作動させる働きをする。即時噴霧モードがまだ起動されていない場合には、制御装置１５０は、ＴHS1が終了し終わるまで高温モードの第１の噴霧を続けるためにポンプ１０８を作動させる働きをする。
【０１３５】
図９Ｂの図示されている高温噴霧モードの実施形態では、第１の噴霧の終了時に、制御装置１５０は、温度センサ３５０によって検出された温度が高温噴霧のための最高温度ＭＡＸH（典型的には６８℃）よりも高いかどうかを調べる働きをする。温度センサ３５０によって検出された温度がＭＡＸHよりも高い場合には、制御装置１５０は加熱要素２０６をＯＦＦにする働きをする。制御装置１５０は、温度センサ３５０によって検出された温度がＭＩＮHよりも低いかどうかを調べる働きをする。温度センサ３５０によって検出された温度がＭＩＮHよりも低い場合には、制御装置１５０は加熱要素２０６をＯＮにする働きをする。
【０１３６】
図９Ｂの図示されている高温噴霧モードの実施形態では、制御装置１５０は、例えば、操作者の起動によって、または、汚れセンサ１２８または他の任意のセンサから受け取られた信号に応答して、即時噴霧モードがすでに起動されているかどうかを調べる働きをする。即時噴霧モードがすでに起動されている場合には、制御装置１５０は、図９Ａを参照して上述した即時噴霧モードまたは他の任意の適切な即時噴霧モードのような即時噴霧モードにしたがってポンプ１０８を作動させる働きをする。
【０１３７】
即時噴霧モードがまだ起動されていない場合には、制御装置１５０は、持続時間ＴHW（好ましくは約７秒）の待機期間を開始する働きをする。この待機期間中に、制御装置１５０は、周期的に、典型的には５０ミリ秒毎に、温度センサ３５０によって検出された温度がＭＡＸHよりも高いかどうか、または、ＭＩＮHよりも低いかどうかを調べ、または、例えば、操作者の起動によって、または、汚れセンサ１２８または他の任意のセンサから受け取られた信号に応答して、即時噴霧モードがすでに起動されているかどうかを調べ、および、上述した適切な機能を行う働きをする。
【０１３８】
図９Ｂの図示されている高温噴霧モードの実施形態では、待機期間ＴHWの完了時に、制御装置１５０は第２の噴霧を提供する働きをする。この第２の噴霧が第１の噴霧よりも長い持続時間であり、かつ、第２の噴霧時間期間ＴHS2（好ましくは約１秒）にわたって供給されることが好ましい。第２の噴霧中に、制御装置１５０は、典型的には５０ミリ秒毎に、例えば、操作者の起動によって、または、汚れセンサ１２８または他の任意のセンサから受け取られた信号に応答して、即時噴霧モードがすでに起動されているかどうかを調べる働きをする。即時噴霧モードがすでに起動されている場合には、制御装置１５０は、図９Ａを参照して上述した即時噴霧モードまたは他の任意の適切な即時噴霧モードのような即時噴霧モードにしたがってポンプ１０８を作動させる働きをする。即時噴霧モードがまだ起動されていない限りは、制御装置１５０は、ＴHS2が完了するまで高温噴霧モードの第２の噴霧を続けるためにポンプ１０８を作動させる働きをする。
【０１３９】
その次に、第２の噴霧の完了時には、制御装置１５０は加熱要素２０６をＯＦＦにする働きをする。
【０１４０】
上述したように、高温噴霧モードが、例えば、操作者の起動によって、または、汚れセンサ１２８または他の任意のセンサから受け取られた信号に応答して、即時噴霧モード起動を受け取る時に、制御装置１５０によって何時でも中断されることが可能であるということと、制御装置１５０が、即時噴霧モードの完了時に、中断された高温噴霧モードには戻らないことが好ましいということとが理解される。さらに、即時噴霧モードが高温噴霧モード中に起動される時にはいつも、即時噴霧モードの完了時に、制御装置１５０は加熱要素２０６をＯＦＦにする働きをする。
【０１４１】
このシステムは、液体流入導管１１２の中を通して二次加熱チャンバ２８２の中に液体を供給するためにポンプ１０８を作動させることによって高温噴霧モードの第１の噴霧と第２の噴霧とを実現する働きをし、このことが、図６を参照して上述したように、液体が二次加熱チャンバ２８２から一次加熱チャンバ２８０の中に流れ、および、一次加熱チャンバ２８０から液体流出導管１１６および／または液体噴霧供給導管１１８の中を通って噴霧器１２０に流れることを引き起こす。
【０１４２】
図９Ｂの図示されている実施形態に見てとれる高温噴霧モードが例示を目的にするにすぎないということと、この代わりに制御装置１５０が他の任意の高温噴霧モードを実現することができるということとが理解される。
【０１４３】
制御装置１５０および／または乗物コンピュータが、汚れセンサ１２８によって検出された汚れが第１の閾値を越える場合に高温噴霧モードにしたがって加熱要素２０６とポンプ１０８を制御する働きをするだろうということと、検出された汚れが第２の閾値を越える場合に即時噴霧モードにしたがって加熱要素２０６とポンプ１０８を制御する働きをするだろうということとが理解される。さらに、複数のポンプ１０８と複数の汚れセンサ１２８とに接続されている複数の液体加熱ユニット１１０を含む、図１Ｂに示されている本発明の実施形態では、複数の汚れセンサ１２８が、個別の検出された汚れ表示を制御装置１５０に送り、この制御装置１５０が、検出された汚れ表示が閾値を越えた場合に特定の汚れセンサ１２８に対応する特定の液体加熱ユニット１１０および／またはポンプ１０８だけを作動させる働きをすることが理解される。あるいは、この代わりに、制御装置１５０は、単一の汚れセンサ１２８から受け取られた検出された汚れ表示に応答して複数の液体加熱ユニット１１０および／または複数のポンプ１０８を作動させる働きをすることもある。
【０１４４】
液体加熱ユニット１１０が液体容器２０８の中と特にこの液体容器内に収容されている液体の中とに熱を保持するように形状構成されていることが理解される。上述したように、断熱材料４００と断熱材料４０４は、第１のエンクロージャの中において、電気接触部分２０４と加熱要素２０６とを含む液体容器２０８を包囲し、および、第１の断熱カバーアセンブリ２００と第２の断熱カバーアセンブリ２２０と断熱カバー連結フレーム２１６は、第２のエンクロージャの中において、液体容器２０８を包囲し、この第２のエンクロージャが真空状態に維持されている体積２３６を含むことが好ましい。本発明の液体加熱ユニット１１０の熱を保持する能力が、長い初期待機期間なしにユーザが加熱液体を利用可能であることを実現することが好ましい。本発明の熱保持能力が、そのユニットがＯＦＦにされていた時間の経過の後でさえ、加熱液体の供給を可能にすることが好ましいということが理解される。本出願人は、本発明の液体加熱ユニットが、２時間から５時間にわたってそのシステムがＯＦＦにされていた後でさえ、加熱液体を供給することを発見している。
【０１４５】
即時噴霧モードに関する第１の噴霧時間ＴIS1と高温噴霧モードに関する第１の噴霧時間ＴHS1とが互いに同一または異なる持続時間であってよいということが理解される。さらに、即時噴霧モードに関する第２の噴霧時間ＴIS2と高温噴霧モードに関する第２の噴霧時間ＴHS2とが互いに同一または異なる持続時間であってよい。さらに、即時噴霧モードに関する待機時間ＴIWと高温噴霧モードに関する待機時間ＴHWとが互いに同一または異なる持続時間であってよいということが理解される。
【０１４６】
高温噴霧モードに関する最低温度ＭＩＮHと待機モードに関する最低温度ＭＩＮSとが、それぞれに高温噴霧モードに関する最高温度ＭＡＸHと待機モードに関する最高温度ＭＡＸSと同一であるかまたはこれよりも高いだろうということが理解される。
【０１４７】
図９Ａと図９Ｂとを参照して上述した即時噴霧モードと高温噴霧モードとが例示のためだけに示されており、かつ、制御装置１５０が、即時噴霧モード起動と高温噴霧モード起動とに応答して任意の適切な即時噴霧または高温噴霧にしたがってポンプ１０８と加熱要素２０６とを作動させる働きをするだろうということが理解される。さらに、制御装置１５０が、ユーザの起動に応答した第１の即時噴霧モードと、システムによって生成された即時噴霧モード起動に応答した第２の即時噴霧モードとを実現する働きをするだろうということが理解される。これに加えて、制御装置１５０は、ユーザの起動に応答した第１の高温噴霧モードと、システムによって生成された高温噴霧モード起動に応答した第２の高温噴霧モードとを実現する働きをするだろう。
【０１４８】
次に、本発明の好ましい実施形態による乗物内で使用するための液体収集および再利用システムの単純化された略図である図１０を参照する。図１０に見てとれるように、車両内で使用するための液体収集および再利用システム６００は、液体収集および濾過サブシステム６１０と、収集リザーバおよびポンプ送りサブシステム６２０と、液体を乗物の噴霧器６４０に供給する乗物液体加熱システム６３０とを含む。
【０１４９】
液体収集および濾過サブシステム６１０は、水と他の液体とを収集して、濾過され収集された液体を収集リザーバおよびポンプ送りサブシステム６２０に供給する働きをする。液体は、乗物空調ユニット６５０、および／または、乗物内のエンジン、および／または、乗物に関連付けられている１つまたは複数の液体収集器からの排水から収集されるだろう。液体収集器６５２は乗物の内側または乗物の外側に配置されているだろう。液体収集器６５２が雨水と他の液体とを収集する働きをすることが好ましい。収集された液体が弁６５４を経由して少なくとも１つのフィルタ６５６に供給されることが好ましい。濾過されて収集された液体が収集リザーバ６６０内に収集されることが好ましい。
【０１５０】
弁６５４は２位置弁であり、この弁６５４は、フィルタ開き位置では収集液体が中を通過して少なくとも１つのフィルタ６５６に達することを可能にし、および、フィルタ閉じ位置では収集液体を排水管６６２に直接的に方向付ける。弁６５４が、乗物操作者によって手動で、または、システム制御装置からの自動信号によって、および／または、ユーザ起動信号によって開閉されることが可能であるということが理解される。弁６５４が、フィルタの閉じ位置において、乗物が洗車機を通過する時のように、液体収集および再利用システム６００には適していないだろう液体の直接的な濾過前の排出を実現するということが理解される。このシステム制御装置が、弁６５４を開閉するために、洗車機制御装置からの信号のような外部供給源からの信号を受け取るだろうということが理解される。
【０１５１】
少なくとも１つのフィルタ６５６は、一般的にそのフィルタを液体が通過することを可能にしかつ一般的に固体がそのフィルタを通過することを防止する１つまたは複数の従来通りのフィルタを含むだろう。互いに異なる濾過特性を有する１つまたは複数のフィルタ６５６が含まれてもよいということが理解される。フィルタ６５６は、任意の適切な使い捨てのフィルタおよび／または再使用可能なフィルタを含むだろう。
【０１５２】
収集リザーバおよびポンプ送りサブシステム６２０が、少なくとも１つの収集リザーバ６６０と、モータ６７４によって駆動されるポンプ６７０と、1方向弁６７８とを含むことが好ましい。収集リザーバ６６０が、オーバーフロー排水管６８０と、取り外し可能なカバー（図示されていない）を含むことが好ましい液体入口穴６８２と、液体レベルセンサ６８４と、温度センサ６８８とを含むことが好ましい。1方向弁６７８は、液体が収集リザーバ６６０から乗物液体加熱システム６３０に流れることを可能にし、かつ、液体が乗物液体加熱システム６３０から収集リザーバ６６０の中に逆流することを防止する。液体入口穴６８２は、ユーザが任意の適切な液体を収集リザーバ６６０に加えることを可能にするために備えられている。
【０１５３】
乗物液体加熱システム６３０は、リザーバ６９０と液体加熱システム６９４とを含む。リザーバ６９０は、図１Ａと図１Ｂのリザーバ１０６のような乗物液体加熱システムに関連付けられている液体リザーバであってもよいし、または、既存の乗物リザーバであるか、乗物内に配置されている他の任意のリザーバであってもよい。リザーバ６９０は、さらに、オーバーフロー排水管６９６と液体レベルセンサ６９８とを含むことが好ましい。液体加熱システム６９４は、図１Ａおよび図１Ｂのシステム１０２のような任意の乗物液体加熱システムであるか、または、他の任意の従来通りの乗物液体加熱システムであってよい。
【０１５４】
図１０に見てとれるように、弁６５４と、液体レベルセンサ６８４と、温度センサ６８８と、モータ６７４と、液体レベルセンサ６９８が、それぞれの電気接続部７０２、７０４、７０６、７０８、７１０を経由して液体流制御装置７００と電気的な通信状態にあることが好ましい。液体流制御装置７００が乗物コンピュータ（図示されていない）に接続されていることが好ましい。あるいは、この代わりに、液体流制御装置７００の機能性が乗物コンピュータ（図示されていない）内に含まれている。
【０１５５】
液体流制御装置７００は電気ケーブル７２４を経由して乗物バッテリ７２０に接続されている。液体加熱システム６９４もケーブル７２８を経由してバッテリ７２０に接続されている。これに加えて、液体流制御装置７００は、弁６５４を作動させるために従来通りの雨センサ（図示されていない）からの出力信号を使用するだろう。
【０１５６】
あるいは、この代わりに、弁６５４と、液体レベルセンサ６８４と、温度センサ６８８と、モータ６７４と、液体レベルセンサ６９８は、乗物コンピュータ（図示されていない）に接続されていることが好ましい、液体加熱システム６９４コンピュータ（図示されていない）または他の乗物内に配置されているコンピュータ（図示されていない）のような装置コンピュータのあらゆる組合せに接続されてもよい。
【０１５７】
収集リザーバおよびポンプ送りサブシステム６２０は、液体を収集リザーバ６６０から1方向弁６７８を経由してリザーバ６９０に供給するためにモータ６７４とポンプ６７０とを作動させるように、液体流制御装置７００または他の装置からの液体要求信号を受け取る時に、好ましくは液体レベルセンサ６９８によって生成された低液体レベル信号に応答して動作する働きをする。収集リザーバおよびポンプ送りサブシステム６２０が、液体レベルセンサ６８４によって検出される収集リザーバ６６０内の液体レベルがリザーバ６９０に液体を供給するのに適切であることを調べる働きをすることが好ましい。収集リザーバおよびポンプ送りサブシステム６２０が、さらに、温度センサ６８８によって検出される収集リザーバ６６０内の温度が、収集リザーバ６６０内の液体が凍結させられないことを確実なものにするための閾値温度（典型的には５℃）よりも高いことを調べる働きをすることが好ましい。
【０１５８】
図示されている実施形態では収集リザーバおよびポンプ送りサブシステム６２０が液体を乗物液体加熱システム６３０に供給するが、この収集リザーバおよびポンプ送りサブシステム６２０は、例えば、液体を乗物エンジン冷却システムに供給するために、または、乗物操作者が自分の手を洗うための液体を供給するために、任意の適切な乗物使用のための液体の供給を実現する働きをするだろうということが理解される。
【０１５９】
次に、本発明の別の好ましい実施形態による乗物内で使用するための液体収集および再利用システムの単純化された略図である図１１を参照する。図１１に見てとれるように、車両内で使用するための液体収集および再利用システム８００は、液体収集および濾過サブシステム８１０と、収集リザーバおよびポンプ送りサブシステム８２０と、液体を乗物の噴霧器８４０に供給する乗物液体加熱システム８３０とを含む。
【０１６０】
液体収集および濾過サブシステム８１０が図１０の液体収集および濾過サブシステム６１０と同一であることが好ましく、かつ、乗物液体加熱システム８３０が図１０の乗物液体加熱システム６３０と同一であることが好ましい。
【０１６１】
収集リザーバおよびポンプ送りサブシステム８２０は収集リザーバおよびポンプ送りサブシステム６２０と同じであり、かつ、収集リザーバ８６０と、少なくとも１つの追加のリザーバ８６４（２つの追加のリザーバ８６４がこの図示されている実施形態に示されている）と、モータ８７４によって駆動される複数のポンプ８７０（容積ポンプであることが好ましい）と、複数の1方向弁８７６、８７７とを含む。追加のリザーバ８６４の各々が、液体レベルセンサ８７８と、取り外し可能なカバー（図示されていない）を含むことが好ましい液体入口穴８８２とを含むことが好ましい。追加のリザーバ８６４は、さらに、温度センサ（図示されていない）を含むだろう。
【０１６２】
収集リザーバ８６０が収集リザーバ６６０と同一であることが好ましく、および、オーバーフロー排水管６８０と、液体入口穴６８２と、液体レベルセンサ６８４と、温度センサ６８８とを含むことが好ましい。１方向弁８７６、８７７は、液体が収集リザーバ８６０と追加のリザーバ８６４とから乗物液体加熱システム８３０に流れることを可能にし、かつ、液体が乗物液体加熱システム８３０から収集リザーバ８６０と追加のリザーバ８６４との中に逆流することを防止する。これに加えて、１方向弁８７７は、液体が収集リザーバ８６０から追加のリザーバ８６４の中に流れ込むことを防止する。液体入口穴８８２は、ユーザが任意の適切な液体を追加のリザーバ８６４に加えることを可能にするために備えられている。
【０１６３】
収集リザーバおよびポンプ送りサブシステム８２０が、さらに、少なくとも１つの追加のリザーバ８６４の１つに各々が関連付けられている少なくとも１つの２位置弁８９０（図示されている実施形態では２つの２位置弁８９０が示されている）を含むことが好ましい。弁８９０は、第１の位置において、追加のリザーバ８６４からの液体がポンプ８７０を経由して乗物液体加熱サブシステム８３０に流れることを可能にし、および、第２の位置において、その液体がそこからポンプ送りされた追加のリザーバ８６４にその液体を戻す働きをする。弁８９０がシステム制御装置からの自動信号またはユーザ起動信号に応答して作動させられるだろうということが理解される。
【０１６４】
図１１に見てとれるように、弁６５４と、液体レベルセンサ８７８、６８４と、温度センサ６８８と、モータ８７４と、液体レベルセンサ６９８と、２位置弁８９０とが、それぞれの電気接続部９０２、９０４、９０６、９０８、９１０、９１２、９１４を経由して液体流制御装置９００と電気的な通信状態にあることが好ましい。液体流制御装置９００が乗物コンピュータ（図示されていない）に接続されていることが好ましい。あるいは、この代わりに、液体流制御装置９００の機能性が乗物コンピュータ（図示されていない）内に含まれている。
【０１６５】
液体流制御装置９００は電気ケーブル９２４を経由して乗物バッテリ９２０に接続されている。液体加熱システム６９４もケーブル９２８を経由してバッテリ９２０に接続されている。液体流制御装置９００も、周囲温度を測定するために乗物の内側または外側に配置されている少なくとも１つの温度センサ９３０に接続されていることが好ましい。これに加えて、液体流制御装置９００は、弁６５４を作動させるために従来通りの雨センサ（図示されていない）からの出力信号を利用するだろう。
【０１６６】
あるいは、この代わりに、弁６５４と、液体レベルセンサ８７８、６８４と、温度センサ６８８と、モータ８７４と、液体レベルセンサ６９８と、２位置弁８９０とが、乗物コンピュータ（図示されていない）に接続されていることが好ましい、液体加熱システム６９４コンピュータ（図示されていない）または乗物内に配置されている他のコンピュータ（図示されていない）のような装置コンピュータの任意の組合せに接続されてもよい。
【０１６７】
収集リザーバおよびポンプ送りサブシステム８２０は、液体流制御装置９００または他の装置からの液体要求信号を受け取る時に、液体を収集リザーバ８６０および／または１つまたは複数の追加のリザーバ８６４から２方向弁８９０と1方向弁８７６、８７７とを経由してリザーバ６９０に供給するために、モータ８７４とポンプ８７０とを作動させるように、好ましくは液体レベルセンサ６９８によって生成された低液体レベル信号に応答して動作する。
【０１６８】
次に、図１１の収集リザーバおよびポンプ送りサブシステムの動作の好ましい実施形態を説明する。収集リザーバおよびポンプ送りサブシステム８２０が、液体レベルセンサ６８４によって検出される収集リザーバ８６０内の液体レベルが液体を供給するのに適切であることを調べる働きをすることが好ましい。収集リザーバおよびポンプ送りサブシステム８２０が、さらに、収集リザーバ８６０内の液体が凍結させられないことを確実なものにするために、温度センサ６８８によって検出される収集リザーバ８６０内の温度が閾値温度（典型的には５℃）よりも高いことを調べる働きをすることが好ましい。
【０１６９】
これに加えて、収集リザーバおよびポンプ送りサブシステム８２０が、液体レベルセンサ８７８によって検出される１つまたは複数の追加のリザーバ８６４内の液体レベルが液体を供給するのに適切であることを調べる働きをすることが好ましい。収集リザーバおよびポンプ送りサブシステム８２０が、さらに、１つまたは複数の追加のリザーバ８６４内の液体が凍結させられないことを確実なものにするために、この追加のリザーバ８６４中の温度センサ（図示されていない）によって検出される１つまたは複数の追加のリザーバ８６４内の温度が閾値温度（典型的には５℃）よりも高いことを調べる働きをすることが好ましい。
【０１７０】
その次に、収集リザーバおよびポンプ送りサブシステム８２０が、液体を収集リザーバ８６０と追加のリザーバ８６４の少なくとも１つから１方向弁８７６、８７７を経由してリザーバ６９０にポンプ送りするために、１つまたは複数のポンプ８７０を作動させるようにモータ８７４を作動させる働きをすることが好ましい。本発明の好ましい実施形態では、モータ８７４はポンプ８７０のすべてを作動させる働きをし、および、収集リザーバおよびポンプ送りサブシステム８２０は２方向弁８９０の位置決めによってリザーバ６９０に対する流れを制御する。あるいは、この代わりに、モータ８７４は、リザーバ６９０に液体を供給するためにポンプ８７０のサブセットだけを作動させる働きをすることができ、かつ、２方向弁８９０は省略されることが可能である。本発明の別の実施形態では、ポンプ８７０の各々はそれぞれのモータに連結されるだろう。
【０１７１】
２方向弁８９０を備えることが、収集リザーバ８６０と追加のリザーバ８６４とからの液体の混合物がリザーバ６９０に供給されることを可能にするということが理解される。収集リザーバ８６０と追加のリザーバ８６４が互いに異なる液体または互いに同一の液体を収容してよいということが理解される。
【０１７２】
液体流制御装置９００が、収集リザーバ８６０と追加のリザーバ８６４とからの液体の適切な混合を実現するために収集リザーバおよびポンプ送りサブシステム８２０を制御する働きをすることが好ましい。
【０１７３】
次に、図１１のシステムによって実現される機能性の例を説明する。収集リザーバ８６０が水で満たされていることが好ましく、これと同時に、追加のリザーバ８９４が液体の凍結防止剤を収容することがこのましい。センサ９３０によって検出される温度に基づいて、液体流制御装置９００は、ポンプ８７０と２方向弁８９０とを適切に作動させることによって、リザーバ６９０に対して水と凍結防止剤との最適な混合物を供給する働きをする。
【０１７４】
図示されている実施形態では収集リザーバおよびポンプ送りサブシステム８２０が液体を乗物液体加熱システム８３０に供給するが、この収集リザーバおよびポンプ送りサブシステム８２０は、例えば、液体を乗物エンジン冷却システムに供給するために、または、乗物操作者が自分の手を洗うための液体を供給するために、任意の適切な乗物使用のための液体の供給を実現する働きをすることができる。
【０１７５】
次に、自動車の中に取り付けられている、本発明の別の好ましい実施形態によって構成されておりかつ動作する乗物風防ガラスクリーニングおよび除氷システムの単純化された実体図である図１２を参照する。
【０１７６】
図１２に見てとれるように、その他の点では従来通りである自動車１１００が、乗物風防ガラス１１２４をクリーニングおよび／または除氷するための風防ガラスクリーニングおよび除氷システム１１２０を含む形で示されている。この風防ガラスクリーニングおよび除氷システム１１２０が、リザーバ１１３０から受け取られた液体を加熱するための容器１１２８を含むことが好ましく、および、このリザーバ１１３０は、風防ガラス１１２４上に噴霧するための噴霧ヘッド１１３２に対して水または風防ガラスクリーニング液のような加熱液体を供給する。容器１１２８は、リザーバ１１３０から液体を受け取る入口１１３４と、加熱液体が中を通して噴霧ヘッド１１３２に放出される出口１１３６とを有する。液体はポンプ１１４０によって駆動され、および、このポンプ１１４０は、一般的に、風防ガラス１１２４をクリーニングするように非加熱液体を噴霧するために、自動車１１００内にすでに存在している。
【０１７７】
当業で公知であるように、バッテリ１１４２が風防ガラスクリーニングおよび除氷システム１１２０に電力を供給し、および、ワイパ１１４４が風防ガラスから溶融氷と汚れとをクリーニングする。制御装置１１４６は、風防ガラスクリーニングおよび除氷システム１１２０の動作を制御し、および、さらに、採用随意に、風防ガラスクリーニングおよび除氷システム１１２０の動作に連係してワイパ１１４４も制御する。
【０１７８】
制御装置１１４６との通信状態にある１つまたは複数の温度センサが、容器１１２８内の液体の温度を測定するために備えられており、および、さらに、噴霧ヘッド１１３２の温度を測定することがあることが好ましい。これに加えて、容器１１２８の外部の温度を測定するために、風防ガラス温度センサ１１４８と、乗物外部温度センサ１１５０と、乗物内部温度センサ１１５２とのような、制御装置１１４６との通信状態にあることが好ましい１つまたは複数の温度センサが備えられてもよい。センサ１１４８が、本出願人の米国特許第６，６１５，４３８号明細書の図３を参照して説明されている風防ガラス温度センサに類似した形で、風防ガラス１１２４の表面に沿って配置されていることが好ましく、および、同様に反射性カバーを含むだろうということが理解される。
【０１７９】
この図示されている実施形態ではワイパアーム上に配置されている噴霧ヘッド１１３２が、風防ガラス１１２４の付近またはワイパ１１４４上のような他の任意の適切な場所に配置されるだろうということが理解される。
【０１８０】
風速センサまたは汚れセンサのような追加のセンサも備えられてよい。制御装置１１４６は、さらに、詳細に後述するように、乗物コンピュータおよび／または既存の乗物センサからの乗物動作パラメータおよび／または外部条件に関する追加の入力を受け取る働きをするだろう。
【０１８１】
容器１１２８が、上述の図２から図６Ｂに説明されている容器、または、本明細書に開示内容が引例として組み入れられている本出願人／本譲受人の米国特許第６，１６４，５６４号明細書、米国特許第６，６１５，４３８号明細書、米国特許第６，６６９，１０５号明細書、米国特許第６，８９２，４１７号明細書、米国特許第７，１０８，７５４号明細書と、本出願人／本譲受人の米国特許出願番号１１／２０３，７７９、米国特許出願番号１１／７００，１４１、米国特許出願番号１０／４７７，４８６、米国特許出願番号１０／５３１，９７９、および、本出願人／本譲受人のＰＣＴ出願番号ＰＣＴ／ＩＬ２００５／００１７９とに説明されている容器のような、任意の適切な容器を含むだろうということが理解される。
【０１８２】
次に、図１２の乗物風防ガラスクリーニングおよび除氷システムの一部分を形成することがあある液体を加熱するための容器の単純化された断面図である図１３を参照する。図１３の実施形態が例示だけを目的にするにすぎず、および、図１２の乗物風防ガラスクリーニングおよび除氷システムは、さらに、図１６において後述する容器を非限定的に含む、液体を加熱するための他の任意の適切な容器を使用することもできるということが理解される。
【０１８３】
図１３を参照すると、容器１１２８が、液体加熱区域１３０２を画定するプラスチック材料で形成されていることが好ましいハウジング部分１３００を含むことが見てとれる。少なくとも１つの加熱要素１３２２が液体加熱区域１３０２内に配置されている。加熱されるべき液体が、典型的には、入口１３２６を経由して容器１１２８の液体加熱区域１３０２の中に受け入れられる。典型的には、加熱液体は、液体加熱区域１３０２の頂部上で外に出て、同様に典型的にはハウジング部分１３００によって画定されている導管１３３０を経由して、出口１３３４に達する。出口１３３４は噴霧ヘッド１１３２と流体連通している（図１２）。
【０１８４】
図１３の図示されている実施形態が２つの加熱要素１３２２を含む容器１１２８を示すが、容器１１２８は、液体加熱区域１３０２内の液体を加熱するために、単一の加熱要素１３２２、または、３つ以上の加熱要素１３２２を含むだろうということが理解される。
【０１８５】
液体温度センサ１３４０が、導管１３３０に対する入口に隣接している液体加熱区域１３０２の頂部付近に配置されていることが好ましい。別の温度センサ１３４２が、液体加熱チャンバ１３０２の壁１３４４の中に配置されていることが好ましい。温度センサ１３４０、１３４２は、典型的にはハウジング１３００内に配置されている制御装置１３５０に電気的出力を供給する。制御装置１３５０は、加熱要素１３２２に対する電力を制御する。２つ以上の加熱要素１３２２が備えられている場合には、この加熱要素１３２２の各々が制御装置１３５０によって個別的に制御されることが好ましく、および、さらに詳しく後述するように、様々な電力レベルで作動させられるだろうということが理解される。
【０１８６】
上述したように、制御装置１３５０はハウジング１３００内に収容されていてもよく、または、制御装置１３５０の機能性が１つまたは複数の乗物コンピュータ（図示されていない）またはその任意の組合せの中に含まれていてもよい。制御装置１３５０が、上述したように、１つまたは複数のセンサとの通信状態にあることが好ましい。
【０１８７】
制御装置１３５０が、さらに詳しく後述するように、加熱要素１３２２の動作を制御するために、温度センサ１３４０または温度センサ１３４２によって提供される情報、または、センサ１３４０、１３４２の両方からの情報の組合せを利用することができるということが理解される。
【０１８８】
容器１１２８は、さらに、液体噴霧器および風防ガラスワイパブレードのようなそのシステムの外部構成要素を加熱するために、および、出口１３４４に連結されている導管１３６８のような加熱液体供給導管を加熱するために、導管１３６４、１３６６の中を通して加熱液体を循環させるための循環ポンプ１３６２を含むだろう。
【０１８９】
循環ポンプ１３６２は、任意の適切な判定基準に基づいて自動的に電子加熱制御回路系１３５０によって作動させられるだろう。
【０１９０】
次に、液体の「近沸騰温度」を確認する方法の単純化された流れ図である図１４を参照する。
【０１９１】
図１４に見てとれるように、制御装置１３５０が、好ましくは最高加熱レベルにおいて、加熱要素１３２２の少なくとも１つをＯＮにする働きをする。制御装置１３５０は、さらに、容器１１２８内の液体の第１の温度測定の値Ｔｅｍｐ1を取得して保存し、この第１の温度測定値Ｔｅｍｐ1は、典型的にはセンサ１３４０、１３４２の一方から受け取られるか、または、センサ１３４０、１３４２の両方からの情報、または、容器１１２８内の液体の温度に関係する情報を提供する働きをする１つまたは複数の他の任意のセンサから受け取られる情報の関数だろう。
【０１９２】
Ｔｅｍｐ1が予め決められた最小値（例えば３０℃）以上である場合には、制御装置１３５０は、予め決められた時間期間（典型的には６秒）にわたって容器１１２８内の液体を加熱し続け、および、容器１１２８内の液体の第２の温度測定値Ｔｅｍｐ2を取得して保存する働きをする。制御装置１３５０は、（Ｔｅｍｐ2−Ｔｅｍｐ1）として温度差を計算する。
【０１９３】
この温度差が予め決められた最小の変化（典型的には２℃）よりも小さい場合には、制御装置１３５０は、予め決められた値（典型的には６０℃）に液体の「近沸騰温度」を設定する働きをする。制御装置１３５０は、予め決められた時間期間（典型的には３０分）の間に乗物がまだＯＦＦにされていない場合には、この予め決められた時間期間の後に新たな「近沸騰温度」を確認する働きをする。予め決められた時間期間の間に乗物がＯＦＦにされている場合には、制御装置１３５０は、乗物の始動時に、新たな「近沸騰温度」を確認する働きをする。
【０１９４】
この温度差が予め決められた最小の変化よりも大きいか等しい場合には、Ｔｅｍｐ1の値が値Ｔｅｍｐ2であるように更新され、および、このプロセスが、さらに詳細に後述するように継続する。
【０１９５】
Ｔｅｍｐ1が予め決められた最小値（例えば３０℃）よりも小さい場合には、Ｔｅｍｐ1がその予め決められた最小値に等しくなるかまたはこれよりも大きくなるまで、制御装置１３５０は、容器１１２８内の液体を加熱し続け、かつ、Ｔｅｍｐ1に関する新たな値を取得して保存する働きをする。
【０１９６】
その次に、制御装置１３５０は、予め決められた時間（典型的には１−２秒）にわたって待機し、および、その次に、容器１１２８内の液体の第２の温度測定値Ｔｅｍｐ2の値を取得して保存する。Ｔｅｍｐ2とＴｅｍｐ1は、その差が予め決められた安定値（ｓｔａｂｉｌｉｔｙ  ｖａｌｕｅ）（典型的には０．１℃）よりも小さいかどうかを確認するために比較される。この差がこの予め決められた安定値よりも大きいか等しい場合には、Ｔｅｍｐ1の値がＴｅｍｐ2の値であるように更新され、および、このプロセスが繰り返される。
【０１９７】
その差が予め決められた安定値よりも小さい場合には、制御装置１３５０は、液体の「近沸騰温度」を値Ｔｅｍｐ2に設定する。その次に、制御装置１３５０が、加熱要素１３２２の少なくとも１つをＯＦＦにし、および、その近沸騰温度確認プロセスが終了することが好ましい。あるいは、この代わりに、制御装置１３５０は、加熱要素１３２２の少なくとも１つをＯＮのままにし、および、その近沸騰温度確認プロセスを終了させることもできる。
【０１９８】
制御装置１３５０が、典型的には、乗物の始動時に液体の「近沸騰温度」を確認し、および、後述する待機温度閾値の設定に使用するためにその値を記憶する働きをするということが理解される。制御装置１３５０が、予め決められた持続時間（例えば１０分）よりも短い時間期間にわたって乗物がＯＦＦにされた場合に、および／または、リザーバ内の液体レベルに関係する乗物リザーバセンサ（図示されていない）から得られた情報に基づいて、以前の乗物の起動からの記憶された「近沸騰温度」を取得する働きをするだろうということが理解される。
【０１９９】
本発明のさらに別の実施形態では、制御装置１３５０は、リザーバ１１３０内の液体レベルに関係する乗物リザーバセンサ（図示されていない）から得られた情報に応答して、液体の「近沸騰温度」を再確認する働きをするだろう。この実施形態では、制御装置１３５０は、新たな「近沸騰温度」を確認する前に、容器１１２８内の液体がリザーバ１１３０からの液体によって置き換えられ終わるまで、例えば、１つまたは２つの噴霧サイクルが行われ終わるまで待機する働きをするだろう。この実施形態では、乗物リザーバセンサは、例えばリザーバ１１３０内の液体のレベルが予め決められたパーセンテージ（例えば２０％）だけ上昇する場合に、リザーバ１１３０内の液体レベルの大きな変化の表示を制御装置１３５０に提供する働きをするということが理解される。
【０２００】
即時噴霧起動が受け取られる場合に、制御装置１３５０が上述の近沸騰確認プロセスを中断するだろうということが理解される。この即時噴霧起動は、例えば、汚れセンサまたは他の任意の装置から受け取られた信号、または、操作者起動装置のような起動装置から受け取られた信号に応答して、制御装置１３５０によって生じさせられるだろう。即時噴霧起動が制御装置１３５０によって受け取られた場合には、制御装置１３５０は加熱要素１３２２をＯＦＦにして、即時噴霧モードにしたがってポンプ１１４０を作動させ、および、その次に、即時噴霧モードの完了時に再び近沸騰確認プロセスを開始する。
【０２０１】
本発明の好ましい実施形態によって、制御装置１３５０は、少なくとも１対の待機閾値を設定するために「近沸騰温度」を使用する働きをする。制御装置１３５０は、さらに、少なくとも１対の待機閾値の設定に使用するために少なくとも１つのセンサから入力を受け取るだろう。上述したように、制御装置１３５０は、システム１１２０の動作モードの各々に関する、「一次温度センサ」内の各センサに関する１対の待機閾値を設定する働きをする。
【０２０２】
本発明の一実施形態では、制御装置１３５０は、「近沸騰温度」の値だけに基づいて待機モード中に加熱要素１３２２の動作を制御するための１対の待機閾値を設定する働きをするだろう。この実施形態では、制御装置１３５０は、「近沸騰温度」よりも低い第１の予め決められた値（例えば１５℃）に等しいように高い方の待機閾値を設定し、かつ、「近沸騰温度」よりも低い第１の予め決められた値よりも低い第２の予め決められた閾値（例えば２０℃）に等しいように低い方の待機閾値を設定する。
【０２０３】
本発明の別の実施形態では、制御装置１３５０は、「近沸騰温度」の値と追加の情報とに基づいて待機モード中に加熱要素１３２２の動作を制御するための１対の待機閾値を設定する働きをするだろう。この実施形態では、制御装置１３５０は、「近沸騰温度」の値と、乗物の外部温度か乗物の内部温度かリザーバ１１３０内の液体の温度のような少なくとも１つの追加の値とを使用して、様々な数学的関数に基づいて高い方と低い方の待機閾値を設定するだろう。
【０２０４】
この実施形態の一例では、制御装置１３５０は、「近沸騰温度」の値とリザーバ１１３０内の液体の温度とに基づいて、待機モード中の加熱要素１３２２の動作を制御するための１対の待機閾値を設定するだろう。この実施形態では、制御装置１３５０は、「近沸騰温度」とリザーバ１１３０内の液体の温度との関数であるルックアップテーブルに基づいて、高い方の待機閾値と低い方の待機閾値とを設定する。例えば、「近沸騰温度」が６５℃から７５℃の間である場合には、このルックアップテーブルの値は次の通りになるだろう。
リザーバ内の液体の温度 高い方の待機閾値 低い方の待機閾値
＞３０℃                      ３５℃                  ３０℃
５℃−３０℃                  ４０℃                  ３５℃
＜５℃                        ４５℃                  ４０℃
【０２０５】
高い方の待機閾値と低い方の待機閾値との間の差が予め決められていてもよく、または、これらの閾値の決定因の関数であってもよいということが理解される。
【０２０６】
システム１１２０がさらに図１３の実施形態の循環ポンプ１３６２のような循環ポンプも含む本発明のさらに別の好ましい実施形態では、制御装置１３５０は、循環ポンプが動作中である場合に、予め決められた量（例えば５℃）だけ高い方の待機閾値および／または低い方の待機閾値を上方に増大および／または減少させる働きをするだろう。
【０２０７】
追加の情報に基づいて待機閾値を設定することを含む本発明の実施形態では、制御装置１３５０は、予め決められた時間期間（典型的には１０分）の後に新たな待機閾値を設定する働きをするだろうということが理解される。
【０２０８】
上述した「近沸騰温度」の確認とこれに基づいた待機閾値の設定とが、適切な待機レベルに液体を加熱することを可能にし、このことが、加熱された噴霧のために加熱液体が迅速に供給されることを可能にし、かつ、液体の蒸発を最小限にするということが理解される。
【０２０９】
次に、図１２−１３のシステムの好ましい動作モードの単純化された流れ図である図１５を参照する。
【０２１０】
図１５に示されているように、制御装置１３５０は、乗物の点火装置がすでにＯＮにされているかどうかを、周期的に、典型的には５０ミリ秒毎に、調べる働きをする。制御装置１３５０は、乗物の点火装置がＯＮにされていることを検出すると、周期的に、典型的には５０ミリ秒毎に、エンジン電圧が最小電圧ＭＩＮV（典型的には１２Ｖ）よりも高いかどうかを調べる。制御装置１３５０は、さらに、その他の乗物パラメータが予め決められた範囲内にあることを確実なものにする働きもするだろう。
【０２１１】
制御装置１３５０が、点火装置がＯＮであることと、最小電圧閾値がすでに満たされていることとを検出する時に、この制御装置１３５０は、図１４を参照して上述した通りに、「近沸騰温度」を確認しかつ少なくとも１対の待機閾値を設定する働きをする。制御装置１３５０が、図１４を参照して上述した通りに、乗物が予め決められた持続時間よりも短い時間期間にわたってＯＦＦにされた場合には、先行の乗物の始動からの記憶された「近沸騰温度」を取得することによって「近沸騰温度」を確認し、および、少なくとも１対の待機閾値を設定するためにこの取得された「近沸騰温度」を使用するだろうということが理解される。
【０２１２】
図１４を参照して上述した通りに、即時噴霧起動が受け取られる場合に、制御装置１３５０が近沸騰確認プロセスを中断するだろうということが理解される。即時噴霧起動が制御装置１３５０によって受け取られた場合には、制御装置１３５０は加熱要素１３２２をＯＦＦにして、図９Ａを参照して上述した即時噴霧モードまたは他の任意の適切な即時噴霧モードのような即時噴霧モードにしたがってポンプ１１４０を作動させ、および、その次に、近沸騰確認プロセスを再開する。
【０２１３】
近沸騰温度確認プロセスの完了時には、制御装置１３５０は、少なくとも１対の待機閾値と「一次温度センサ」から受け取られた情報とに基づいて、待機モードにしたがって加熱要素１３２２の動作を制御する働きをする。図１５に見てとれるように、乗物の点火装置がＯＦＦにされるまで待機モードが動作サイクルの反復を可能にすることが好ましい。
【０２１４】
図１３に示されている実施形態では、一次温度センサが、センサ１３４０またはセンサ１３４２のどちらか、または、容器１１２８内の液体の温度に関する情報を提供する他の任意のセンサであってよいということが理解される。
【０２１５】
図１５の実施形態によって、制御装置１３５０は、待機モードで作動する時に、例えば操作者の起動または自動生成された即時噴霧起動によって、即時噴霧モードがすでに起動されているかどうかを調べる働きをする。即時噴霧モードがすでに起動されている場合には、制御装置１３５０は、即時噴霧モードにしたがってポンプ１１４０を作動させる働きをする。即時噴霧モードが操作者によって起動されている場合には、制御装置１３５０は、操作者の起動の持続時間または他の任意の適切な持続時間にわたって、風防ガラス上への液体の即時噴射を実現するためにポンプ１１４０を作動させるだろう。
【０２１６】
即時噴霧起動が自動生成された即時噴霧起動である場合には、制御装置１３５０は、図９Ａを参照して上述した即時噴霧モードまたは他の任意の適切な即時噴霧モードのような即時噴霧モードにしたがってポンプ１１４０を作動させる働きをするだろう。
【０２１７】
即時噴霧モードがまだ起動されていない場合には、制御装置１３５０は、例えば操作者の起動または自動生成された高温噴霧起動によって、高温噴霧モードがすでに起動されているかどうかを調べる働きをする。高温噴霧モードがすでに起動されている場合には、制御装置１３５０は、高温噴霧モードにしたがってポンプ１１４０と加熱要素１３２２とを制御する働きをする。
【０２１８】
高温噴霧モードが操作者によって起動されている場合には、制御装置１３５０は、図９Ｂを参照して上述した高温噴霧モード、または、本明細書に開示内容が引例として組み入れられている本出願人／本譲受人の米国特許第６，１６４，５６４号明細書、米国特許第６，６１５，４３８号明細書、米国特許第６，６６９，１０５号明細書、米国特許第６，８９２，４１７号明細書、米国特許第７，１０８，７５４号明細書と、本出願人／本譲受人の米国特許出願番号１１／２０３，７７９、米国特許出願番号１０／７００，１４１、米国特許出願番号１０／４７７，４８６、米国特許出願番号１０／５３１，９７９、および、本出願人／本譲受人のＰＣＴ出願番号ＰＣＴ／ＩＬ２００５／００１７９とに説明されている自動または高温噴霧モードのような、他の任意の適切な高温噴霧モードにしたがってポンプ１１４０と加熱要素１３２２とを制御する働きをする。
【０２１９】
高温噴霧起動が自動生成された高温噴霧起動である場合には、制御装置１３５０は、図９Ｂを参照して上述した高温噴霧モード、または、本明細書に開示内容が引例として組み入れられている本出願人／本譲受人の米国特許第６，１６４，５６４号明細書、米国特許第６，６１５，４３８号明細書、米国特許第６，６６９，１０５号明細書、米国特許第６，８９２，４１７号明細書、米国特許第７，１０８，７５４号明細書と、本出願人／本譲受人の米国特許出願番号１１／２０３，７７９、米国特許出願番号１０／７００，１４１、米国特許出願番号１０／４７７，４８６、米国特許出願番号１０／５３１，９７９、および、本出願人／本譲受人のＰＣＴ出願番号ＰＣＴ／ＩＬ２００５／００１７９とに説明されている自動または高温噴霧モードのような、他の任意の適切な高温噴霧モードにしたがってポンプ１１４０と加熱要素１３２２とを制御する働きをする。
【０２２０】
高温噴霧モードがまだ起動されていない場合には、制御装置１３５０は、一次温度センサからの入力を受け取り、および、この入力を高い方の待機閾値と低い方の待機閾値とのそれぞれに対して比較する。
【０２２１】
温度センサによって検出された温度が高い方の待機閾値よりも高い場合には、制御装置１３５０は加熱要素１３２２をＯＦＦにする働きをする。
【０２２２】
温度センサによって検出された温度が高い方の待機閾値よりも低いか等しく、かつ、低い方の待機閾値よりも高いか等しい場合には、制御装置１３５０は、温度維持動作モード（ｍａｉｎｔａｉｎ  ｔｅｍｐｅｒａｔｕｒｅ  ｏｐｅｒａｔｉｎｇ  ｍｏｄｅ）にしたがって加熱要素１３２２を制御する働きをするだろう。温度維持動作モードの一実施形態では、制御装置１３５０は、予め決められた電力レベルで１つまたは複数の加熱要素１３２２を作動させる働きをするだろう。温度維持動作モードの別の実施形態では、制御装置１３５０は加熱要素１３２２をＯＦＦにする働きをするだろう。
【０２２３】
加熱要素の数と、その各々に関する予め決められた電力レベルとが、高い方の待機閾値と低い方の待機閾値とに関する検出温度値に基づいているルックアップテーブルまたは他の任意の適切な制御方法とによって与えられるだろうということが理解される。したがって、例えば、制御装置１３５０は、検出温度と高い方の待機閾値との間の差が検出温度と低い方の待機閾値との間の差よりも小さい場合に、最大電力のより低いパーセンテージ（例えば３５％）を提供するだろうし、および、検出温度と高い方の待機閾値との間の差が検出温度と低い方の待機閾値との間の差よりも大きい場合には、最大電力のより高いパーセンテージ（例えば７０％）を提供するだろう。
【０２２４】
温度維持動作モードにおいて制御装置１３５０によって使用されるべき実施形態の選択が、乗物の仕様に基づいて予め決められているだろうし、または、エンジン出力レベル、エンジンコンパートメント内の温度、または、他の任意の適切なパラメータのような乗物動作環境に関係するリアルタイムの情報を提供する１つまたは複数のセンサに基づくだろう。
【０２２５】
温度センサによって検出される温度が低い方の待機閾値よりも低い場合には、制御装置１３５０は、温度上昇動作モード（ｉｎｃｒｅａｓｅ  ｔｅｍｐｅｒａｔｕｒｅ  ｏｐｅｒａｔｉｎｇ  ｍｏｄｅ）にしたがって加熱要素１３２２を制御する働きをする。この温度上昇動作モードの一実施形態では、制御装置１３５０は、予め決められた電力レベルで１つまたは複数の加熱要素１３２２を作動させる働きをするだろう。あるいは、この代わりに、制御装置１３５０は、検出温度が低い方の待機閾値よりも低い時に１つまたは複数の加熱要素１３２２を最大電力で作動させる働きをするだろう。別の代替策の実施形態では、制御装置１３５０は、検出温度と低い方の待機閾値との間の差に基づいたルックアップテーブルにアクセスすることによって、動作する加熱要素の数と、これらの加熱要素に供給される電力レベルとを制御する働きをするだろう。
【０２２６】
したがって、例えば、制御装置１３５０は、検出温度と低い方の待機閾値との間の差が１０℃よりも大きい場合に、最大電力ですべての加熱要素１３２２を作動させるだろうし、および、検出温度と低い方の待機閾値との間の差が５℃よりも小さい場合に、最大電力で単一の加熱要素１３２２だけを作動させるだろう。あるいは、この代わりに、制御装置１３５０は、検出温度と低い方の待機閾値との間の差が５℃よりも小さい場合に２つ以上の加熱要素１３２２を最大電力よりも小さい電力で作動させるだろう。
【０２２７】
温度上昇動作モードにおいて制御装置１３５０によって使用される実施形態の選択が、乗物の仕様に基づいて予め決められているだろうし、または、エンジン出力レベル、エンジンコンパートメント内の温度、または、他の任意の適切なパラメータのような乗物動作環境に関係するリアルタイムの情報を提供する１つまたは複数のセンサに基づくだろうということが理解される。
【０２２８】
制御装置１３５０が、待機モードの各サイクルから加熱要素１３２２の各々に関連付けられている動作パラメータを保存し、かつ、加熱要素１３２２を制御するために必要とされる命令の数を最少化するために待機モードの先行サイクルの動作パラメータを現在サイクルの動作パラメータに対して比較する働きをするだろうということが理解される。
【０２２９】
図１から図５Ｂを参照して上述した制御装置１５０が、さらに、図１４および図１５を参照して上述した機能性にしたがっても動作するだろうということが理解される。
【０２３０】
したがって、制御装置１５０は、好ましくは温度センサ３５０を使用して、図１４を参照して上述したように、液体容器２０８内の液体の近沸騰温度を確認する働きをするだろう。制御装置１５０は、さらに、図１５を参照して上述したように、待機モードを含む動作サイクルを実現する働きもするだろう。
【０２３１】
本発明の好ましい実施形態では、制御装置１５０は、図１５を参照して上述したように、液体容器２０８内の液体の近沸騰温度に基づいて、一次加熱チャンバ２８０内の液体の温度に関する高い方と低い方の待機閾値と、二次加熱チャンバ２８２内の液体の温度に関する高い方と低い方の待機閾値とを設定する働きをするということが理解される。この実施形態では、制御装置１５０は、さらに詳細に後述するように、一次温度センサとしてセンサ３５０、３５２の一方を選択する働きをするだろう。
【０２３２】
この実施形態では、制御装置１５０が、一次加熱チャンバ２８０内の液体に関して設定されている高い方と低い方の待機閾値とセンサ３５０によって検出された温度とに基づいて、第１の温度センサ３５０が一次温度センサであることを最初に選択し、かつ、加熱要素２０６を制御する働きをすることが好ましい。
【０２３３】
したがって、図１５を参照して上述したように、第１の温度センサ３５０によって検出された温度が、一次加熱チャンバ２８０内の液体に関して設定された高い方の待機閾値よりも高い場合には、制御装置１５０は加熱要素２０６をＯＦＦにする。第１の温度センサ３５０によって検出された温度が、一次加熱チャンバ２８０内の液体に関して設定された低い方の待機閾値よりも低い場合には、制御装置１５０は、温度上昇動作モードにしたがって加熱要素２０６を制御する働きをする。温度上昇動作モードの一実施形態では、制御装置１５０は、予め決められた電力レベルで加熱要素２０６を作動させる働きをするだろう。あるいは、この代わりに、制御装置１５０は、温度上昇動作モードにおいて、最大電力で加熱要素２０６を作動させる働きをするだろう。温度上昇動作モードの別の代替案の実施形態では、制御装置１５０は、第１の温度センサ３５０によって検出された温度と一次加熱チャンバ２８０内の液体に関して設定された低い方の待機閾値との間の差に基づいたルックアップテーブルにアクセスすることによって、加熱要素２０６の動作に関する電力レベルを制御する働きをするだろう。
【０２３４】
図１５を参照して上述したように、第１の温度センサ３５０によって検出された温度が、一次加熱チャンバ２８０内の液体に関して設定された高い方の待機閾値よりも低いか等しく、かつ、一次加熱チャンバ２８０内の液体に関して設定された低い方の待機閾値よりも高いか等しい場合には、制御装置１５０は、温度維持動作モードにしたがって加熱要素２０６を制御する働きをする。本発明の好ましい実施形態では、温度維持動作モードにおいて、制御装置１５０は、二次加熱チャンバ２８２内の液体に関して設定された高い方と低い方の待機閾値とセンサ３５２によって検出された温度とに基づいて、第２の温度センサ３５２が一次温度センサであることを選択し、かつ、加熱要素２０６を制御する働きをするだろう。
【０２３５】
したがって、第２の温度センサ３５２によって検出された温度が、二次加熱チャンバ２８２内の液体に関して設定された高い方の待機閾値よりも高い場合には、制御装置１５０は加熱要素２０６をＯＦＦにする働きをするだろう。この代わりに、第２の温度センサ３５２によって検出された温度が、二次加熱チャンバ２８２内の液体に関して設定された低い方の待機閾値よりも高い場合には、制御装置１５０は、加熱要素２０６をＯＦＦにする働きをするだろう。
【０２３６】
第２の温度センサ３５２によって検出された温度が、二次加熱チャンバ２８２内の液体に関して設定された低い方の待機閾値よりも低い場合には、制御装置１５０は、予め決められた電力レベルで加熱要素２０６を作動させる働きをするだろう。別の代替案の実施形態では、制御装置１５０は、第２の温度センサ３５２によって検出された温度と二次加熱チャンバ２８２内の液体に関して設定された低い方の待機閾値との間の差に基づいたルックアップテーブルにアクセスすることによって、加熱要素２０６の動作に関する電力レベルを制御する働きをするだろう。
【０２３７】
あるいは、この代わりに、制御装置１５０は、一次温度チャンバ２８０内の液体の温度だけに関する高い方と低い方の待機閾値を設定する働きをするだろうし、および、上述した制御装置１３５０の待機機能性に類似した待機機能性を実現する働きもするだろう。この実施形態では、制御装置１５０は、第１の温度センサ３５０によって検出された温度に基づいて加熱要素２０６の動作を制御する働きをするだろう。
【０２３８】
次に、本発明の別の好ましい実施形態による、図１２の乗物風防ガラスクリーニングおよび除氷システムの一部分を構成することがある液体加熱容器の単純化された分解組立図である図１６を参照する。
【０２３９】
図１６に見てとれるように、容器１４００が、一次液体加熱体積部分と二次液体加熱体積部分とをそれぞれに画定する第１の導管要素１４１０と第２の導管要素１４１２とを含むことが好ましい。電気回路基板１４１６とこの電気回路基板１４１６と電気的な通信状態にある複数の加熱要素１４１８とを典型的に含む制御装置１４１４が、容器１４００上に取り付けられていることが好ましい。
【０２４０】
液体が容器１４００から出て行く時にその液体の温度を測定する第１の液体温度センサ１４２６が、さらに、回路基板１４１６に接続されていることが好ましい。二次液体加熱体積部分内の液体の温度を測定する第２の液体温度センサ１４２８が、さらに、回路基板１４１６と電気的な通信状態にある。
【０２４１】
制御装置１４１４は、特に、電気回路基板１４１６上の電気回路系を経由して液体加熱要素１４１８の動作の制御を実現する。
【０２４２】
第１の導管要素１４１０がアルミニウムのような熱伝導性材料で形成されていることが好ましく、および、加熱要素１４１８と直接的な熱交換関係にあることが好ましい。第２の導管要素１４１２が、ＬＥＸＡＮTMのような幾分か可とう性で弾性の材料で形成されていることが好ましく、かつ、第１の導管要素１４１０と、介在する非液体透過性の膜１４５０であることが好ましい熱伝導性の移動可能な要素とに封止状に取り付けられていることが好ましい。この膜１４５０は、図１６に示されているように、別個の要素として形成されてもよいし、または、この代わりに、第２の導管要素１４１２と一体状に形成されてもよい。
【０２４３】
図１６が、第１および第２の導管要素１４１０、１４１２によって画定されている典型的な液体の流れを示し、この液体の流れは、第２の導管要素１４１２内の液体入口開口１４５２から、第２の導管要素１４１２の中に画定されている導管１４５４を経由し、および、膜１４５０内に形成されている１つまたは複数の穴１４５６を経由し、第１の導管要素１４１０内に形成されている導管１４５８の中を通り、および、第１の導管要素１４１０内に形成されている加熱液体出口開口１４６０の中を通って外に出る。
【０２４４】
制御装置１４１４は、図１４と図１５を参照して上述した制御装置１３５０の機能性に類似している機能性を提供する働きをする。したがって、制御装置１４１４は、好ましくは温度センサ１４２６を使用して、図１４を参照して上述したように、容器１４００内の液体の近沸騰温度を確認する働きをする。制御装置１４１４が、さらに、図１５を参照して上述したように、待機モードを含む動作サイクルを実現する働きもすることが好ましい。
【０２４５】
本発明の好ましい実施形態では、制御装置１４１４は、図１４を参照して上述したように、容器１４００内の液体の近沸騰温度に基づいて、第１の導管要素１４１０内の液体の温度に関する高い方および低い方の待機閾値と、第２の導管要素１４１２内の液体の温度に関する高い方および低い方の待機閾値とを設定する働きをする。この実施形態では、制御装置１４１４は、さらに詳細に後述するように、センサ１４２６、１４２８のどちらが一次温度センサであるかを選択する働きをするだろう。
【０２４６】
この実施形態では、制御装置１４１４が、センサ１４２６が一次温度センサであることを最初に選択し、かつ、加熱要素１４１８を制御するために、第１の導管要素１４１０内の液体に関して設定された高い方および低い方の待機閾値を使用する働きをすることが好ましい。
【０２４７】
したがって、図１５を参照して上述したように、温度センサ１４２６によって検出された温度が、第１の導管要素１４１０内の液体に関して設定された高い方の待機閾値よりも高い場合には、制御装置１４１４は加熱要素１４１８をＯＦＦにする。温度センサ１４２６によって検出された温度が、第１の導管要素１４１０内の液体に関して設定された低い方の待機閾値よりも低い場合には、制御装置１４１４は、温度上昇動作モードにしたがって加熱要素１４１８を制御する働きをする。この温度上昇動作モードの一実施形態では、制御装置１４１４は、予め決められた電力レベルで１つまたは複数の加熱要素１４１８を作動させる働きをするだろう。あるいは、この代わりに、制御装置１４１４は、温度上昇動作モードにおいて、１つまたは複数の加熱要素１４１８を最大電力で作動させる働きをするだろう。温度上昇動作モードの別の代替案の実施形態では、制御装置１４１４は、温度センサ１４２６によって検出された検出温度と、第１の導管要素１４１０内の液体に関して設定された低い方の待機閾値との間の差に基づいた、ルックアップテーブルにアクセスすることによって、動作すべき加熱要素の数と、これらの加熱要素の動作のための電力レベルとを制御する働きをするだろう。
【０２４８】
図１５を参照して上述したように、温度センサ１４２６によって検出された温度が第１の導管要素１４１０内の液体に関して設定された高い方の待機閾値よりも高く、かつ、第１の導管要素１４１０内の液体に関して設定された低い方の待機閾値より高いか等しい場合には、制御装置１４１４は、温度維持動作モードにしたがって加熱要素１４１８を制御する働きをする。本発明の好ましい実施形態では、この温度維持動作モードにおいて、制御装置１４１４は、第２の導管要素１４１２内の液体に関して設定された高い方および低い方の待機閾値に基づいて、温度センサ１４２８が一次温度センサであることを選択し、かつ、１つまたは複数の加熱要素１４１８を作動させる働きをするだろう。
【０２４９】
したがって、温度センサ１４２８によって検出された温度が第２の導管要素１４１２内の液体に関して設定された高い方の待機閾値よりも高い場合には、制御装置１４１４は加熱要素１４１８をＯＦＦにする働きをするだろう。あるいは、この代わりに、温度センサ１４２８によって検出された温度が第２の導管要素１４１２内の液体に関して設定された低い方の待機閾値よりも高い場合には、制御装置１４１４は加熱要素１４１８をＯＦＦにする働きをするだろう。
【０２５０】
温度センサ１４２８によって検出された温度が第２の導管要素１４１０内の液体に関して設定された低い方の待機閾値よりも低い場合には、制御装置１４１４は、予め決められた電力レベルで１つまたは複数の加熱要素１４１８を作動させる働きをするだろう。別の代替案の実施形態では、制御装置１４１４は、温度センサ１４２８によって検出された温度と、第２の導管要素１４１２内の液体に関して設定された低い方の待機閾値との間の差に基づいた、ルックアップテーブルにアクセスすることによって、動作すべき加熱要素の数と、これらの加熱要素の動作のための電力レベルとを制御する働きをするだろう。
【０２５１】
あるいは、この代わりに、制御装置１４１４は、第１の導管要素１４１０内の液体の温度だけに関する高い方および低い方の待機閾値を設定する働きをし、および、上述した制御装置１３５０の待機機能性に類似している待機機能性を実現する働きをするだろう。この実施形態では、制御装置１４１４は、温度センサ１４２６によって検出された温度に基づいて加熱要素１４１８の動作を制御する働きをするだろう。
【０２５２】
図１４と図１５とを参照して上述した「近沸騰温度］の確認と待機閾値の測定とを含む本発明の待機モードが、上述した液体加熱容器だけに限定されず、および、他の適切な加熱要素と共に使用されてよいということが理解される。
【０２５３】
本発明の待機モードが、さらに、図１４と図１５を参照して上述したものと同様である、リザーバ内の液体の「近沸騰温度」の確認と、リザーバ待機閾値との設定とを含む、リザーバ待機モードも含むだろう。
【０２５４】
次に、本発明の別の好ましい実施形態にしたがって構成されておりかつ動作する、乗物内で使用するための風防ガラスワイパアセンブリの単純化された実体図である図１７、図１８Ａ、図１８Ｂ、図１９を参照する。
【０２５５】
図１７から図１９の風防ガラスワイパアセンブリは、図１３に示されている液体加熱システムのような、循環ポンプを含む液体加熱システムと共に使用するのに特に適しているが、ポンプを含む任意の適切な液体加熱システムと共に使用されるだろう。
【０２５６】
図１７、図１８Ａ、図１８Ｂ、図１９に見てとれるように、風防ガラスワイパアセンブリは、回転軸線１６０４を中心として回転するように配置されていることが好ましい軸１６０２に固定されてるワイパアーム１６００を備える。軸１６０２が、従来通りの自動車の一部分を構成する従来通りのワイパ駆動アセンブリ（図示されていない）によって往復回転運動するように駆動されることが好ましい。ワイパアーム１６００が第１の部分１６０６と第２の部分１６０８とを備えることが好ましい。第１の部分１６０６が、図１９に見てとれるように、軸１６０２に連結されていることが好ましく、および、第２の部分１６０８がワイパブレード１６１０とワイパブレードホルダ１６１２との少なくとも一部分の上に重なることが好ましい。
【０２５７】
あるいは、この代わりに、ワイパアーム１６００の第１の部分１６０６は、風防ガラスに沿った直線移動または直線／回転移動を実現するように構成されていることもある。
【０２５８】
ワイパブレードホルダ１６１２はワイパブレード１６１０を保持し、および、ワイパアーム１６００と共に往復回転移動するようにそのワイパアーム１６００に取り付けられている。本発明の好ましい実施形態では、少なくとも１つの熱伝導性導管１６２０が、ワイパアーム１６００とワイパブレードホルダ１６１２の少なくとも一方に隣接して備えられている。図１８Ａに見てとれるように、熱伝導性循環導管１６２２、１６２４はそれぞれにワイパアーム１６００とワイパブレードホルダ１６１２とに隣接して備えられている。
【０２５９】
熱伝導性導管１６２２、１６２４は、コネクタ１６２６、１６２８によってその末端において互いに連結されている。あるいは、この代わりに、熱伝導性導管１６２２、１６２４は、任意の適切な仕方で液体の連続的な循環を実現するように連結されていてもよい。
【０２６０】
導管１６２２が、ワイパアーム１６００の第１の側部上に配置されている少なくとも１つの第１の導管部分１６３０と、ワイパアーム１６００の第２の側部上に配置されている少なくとも１つの第２の導管部分１６３２とを含むことが好ましい。ワイパアーム１６００が風防ガラスに沿って移動するにつれて、第１の導管部分１６３０は、ワイパアーム１６００が第１の方向に移動する時にワイパアーム１６００の前方で移動し、および、第１の導管部分１６３０は、その第１の方向とは反対である第２の方向にワイパアーム１６００が移動する時にワイパアーム１６００の後方で移動するということが理解される。第２の導管部分１６３２は、ワイパアーム１６００が第１の方向に移動する時にワイパアーム１６００の後方で風防ガラスに沿って移動し、および、第２の導管部分１６３２は、ワイパアーム１６００が第２の方向に移動する時にワイパアーム１６００の前方で移動する。
【０２６１】
導管１６２４は、ワイパブレードホルダ１６１２の第１の側部上に配置されている少なくとも１つの第１の導管部分１６４０と、ワイパブレードホルダ１６１２の第２の側部上に配置されている少なくとも１つの第２の導管部分１６４２とを含む。ワイパブレードホルダ１６１２が風防ガラスに沿って移動するにつれて、第１の導管部分１６４０は、ワイパブレードホルダ１６１２が第１の方向に移動する時にワイパブレードホルダ１６１２の前方で移動し、および、第１の導管部分１６４０は、その第１の方向とは反対である第２の方向にワイパブレードホルダ１６１２が移動する時にワイパブレードホルダ１６１２の後方で移動するということが理解される。第２の導管部分１６４２は、ワイパブレードホルダ１６１２が第１の方向に移動する時にワイパブレードホルダ１６１２の後方で風防ガラスに沿って移動し、および、第２の導管部分１６４２は、ワイパブレードホルダ１６１２が第２の方向に移動する時にワイパブレードホルダ１６１２の前方で移動する。
【０２６２】
本発明の好ましい実施形態によって、液体を加熱する働きをする加熱要素１３２２（図１３）のような少なくとも１つの加熱要素を含み、かつ、さらに循環ポンプ１３６２のような循環ポンプを含む、図１３を参照して上述した液体加熱システムのような液体加熱システムが、熱伝導性循環導管１６２２、１６２４を通して液体（好ましくは加熱された液体）を循環させるために備えられていることが好ましい。
【０２６３】
熱伝導性循環導管１６２２、１６２４が、第１の導管１６５０と第２の導管１６５２と共に、循環ポンプを経由して液体加熱システムに出入りする連続循環経路を画定することが好ましい。図１３に示されているように、第１の導管１６５０と第２の導管１６５２とがそれぞれに導管１３６４、１３６６に相当することが理解される。
【０２６４】
本発明の好ましい実施形態では、連続循環経路が、図１８Ａに矢印で示されているように、液体加熱システムから循環ポンプを経由して第１の導管１６５０へ、循環導管１６２２の第１の導管部分１６３０へ、コネクタ１６２６を経由して、循環導管１６２４の第２の導管部分１６４２へ、循環導管１６２４の第１の導管部分１６４０へ、循環導管１６２４の第２の導管部分１６４２へ、コネクタ１６２８を経由して循環導管１６２２の第２の導管部分１６３２へ、および、第２の導管１６５２を経由して液体加熱システムへの液体の流れによって画定されている。
【０２６５】
あるいは、この代わりに、熱伝導性循環導管１６２４は省略されてもよいし、または、図１８Ｂの実施形態に見てとれるように、熱伝導性循環導管１６２２に連結されていなくてもよい。この実施形態では、コネクタ１６６０が備えられており、および、矢印で示されている連続循環経路が、液体加熱システムから循環ポンプを経由して第１の導管１６５０へ、循環導管１６２２の第１の導管部分１６３０へ、コネクタ１６６０を経由して循環導管１６２２の第２の導管部分１６３２へ、および、第２の導管１６５２を経由して液体加熱システムへの液体の流れによって画定されるだろう。
【０２６６】
本発明の別の代替案の実施形態では、熱伝導性循環導管１６２４の第１の導管部分１６４０と第２の導管部分１６４２とが、ワイパアーム１６００が上に重ならないワイパブレードホルダ１６１２の一部分だけに隣接して配置されているだろう。この実施形態では、第１および第２のコネクタ（図示されていない）が、それぞれに、第１の導管部分１６３０、１６４０の末端と第２の導管部分１６３２、１６４２の末端とに連結し、および、連続循環経路は、液体加熱システムから循環ポンプを経由して第１の導管１６５０へ、循環導管１６２２の第１の導管部分１６３０へ、第１のコネクタを経由して循環導管１６２４の第１の導管部分１６４０へ、循環導管１６２４の第２の導管部分１６４２へ、第２のコネクタを経由して循環導管１６２２の第２の導管１６３２へ、および、第２の導管１６５２を経由して液体加熱システムへの液体の流れによって画定されるだろう。
【０２６７】
本発明のさらに別の代替案の実施形態では、連続循環経路は、液体加熱システムから循環ポンプを経由して第１の導管１６５０へ、循環導管１６２２の第１の導管部分１６３０へ、循環導管１６２２の第２の導管部分１６３２へ、第１の連結導管（図示されていない）を経由して、循環導管１６２４の第１の導管部分１６４０へ、循環導管１６２４の第２の導管部分１６４２へ、第２の連結導管（図示されていない）を経由し、および、第２の導管１６５２を経由して液体加熱システムへの液体の流れによって画定されるだろう。
【０２６８】
別の代替案の実施形態では、熱伝導性循環導管１６２２は省略されるだろうし、および、連続循環経路は、液体加熱システムから循環ポンプを経由して第１の導管１６５０へ、第１の連結導管（図示されていない）を経由して、循環導管１６２４の第２の導管部分１６４２へ、循環導管１６２４の第１の導管部分１６４０へ、循環導管１６２４の第２の導管部分１６４２へ、第２の連結導管（図示されていない）を経由し、および、第２の導管１６５２を経由して液体加熱システムへの液体の流れによって画定されるだろう。
【０２６９】
上述したように、単一の循環経路が熱伝導性導管１６２２、１６２４のために画定されていることが好ましい。あるいは、この代わりに、２つ以上の循環経路を画定する２つ以上の循環ポンプが備えられてもよい．液体がワイパアーム１６００またはワイパブレードホルダ１６１２の少なくとも一部分に沿って熱伝導性循環導管の中を通って流れるように、任意の適切な循環経路が画定されてもよいということが理解される。
【０２７０】
上述した図示されている実施形態が、液体加熱容器内から出てこの液体加熱容器内に戻る循環経路を示すが、本発明の循環経路が、この代わりに、加熱要素を含む乗物リザーバ内から出てこの乗物リザーバ内に戻ることが可能であることが理解される。
【０２７１】
第１の導管部分１６３０、１６４０と第２の導管部分１６３２、１６４２が、熱伝導性材料で少なくとも部分的に形成されており、かつ、少なくともワイパアーム１６００とワイパブレードホルダ１６１２とから外向きの部分が熱伝導性であるように配置されていることが好ましい。熱伝導性循環導管１６２２、１６２４が任意の適切な横断面および／または直径であり、かつ、任意の適切なサイズの熱伝導性の外向き部分を備えるだろうということが理解される。熱伝導性循環導管１６２２、１６２４はその全長に沿って均一な直径および／または横断面を有することは必ずしも必要ではないということが理解される。本発明の好ましい実施形態では、熱伝導性の外向き部分の幅がワイパアーム１６００および／またはワイパブレードホルダ１６１２の幅とほぼ同じであるだろう。別の実施形態では、この熱伝導性の外向き部分はワイパアーム１６００とワイパブレードホルダ１６１２との間の区域のあらゆる部分を占めるだろう。あるいは、この代わりに、この熱伝導性の外向き部分は、さらに、ワイパブレード１６１０の上に重なるだろう。
【０２７２】
導管１６５０、１６５２と連結導管とが非熱伝導性材料で形成されており、かつ、少なくともその一部分に沿って単一の導管要素の形に画定されていることが好ましく、および、導管１６５０、１６５２が断熱層によって全体的に取り囲まれていることが好ましい。単一の導管要素が、さらに、従来の乗物液体噴霧ヘッドに液体を供給することができる導管１３６８（図１３）に類似している追加の導管を含むだろうということが理解される。本発明のシステムが、さらに、導管１６５０、１６５２の少なくとも一方と追加の導管とを加熱する少なくとも１つの電気加熱要素も含むだろうということがさらに理解される。
【０２７３】
第１の導管部分１６３０、１６４０と、第２の導管部分１６３２、１６４２と、導管１６５０、１６５２と、連結導管と、コネクタとが、これらの間の円滑な連結を実現するために、および、すべての方向配置においてワイパアーム１６００とワイパブレードホルダ１６１２との適切な整合を確実なものにするために、可とう性区域１６７０のような可とう性区域を含むだろうということが理解される。
【０２７４】
同様の導管部分が、さらに、ワイパブレード１６１０の付近での液体の循環のために、および／または、噴霧ノズルの付近での液体の循環のために、備えられるだろうとういうことが理解される。本発明のシステムが、さらに、噴霧ノズルに液体を供給する供給導管を加熱する電気加熱要素を含むだろうということが理解される。
【０２７５】
これによって、熱伝導性循環導管１６２２、１６２４は、風防ガラス上に付着していることがある雪および／または氷に接触していることがありかつ風防ガラスに沿ってワイパが動くにつれて雪および／または氷を溶融する働きをすることができる加熱された表面を提供する。雪および／または氷の厚い層が風防ガラス上に堆積している極端な条件では、上述した本発明の風防ガラスワイパアセンブリが、乗物操作者による雪および／または氷層の残余のより容易な破壊と除去を可能にする、風防ガラスに最も近い雪および／または氷層の溶融を実現するだろうということが理解される。
【０２７６】
次に、本発明の別の好ましい実施形態にしたがって構成されておりかつ動作する、乗物内で使用するための風防ガラスワイパアセンブリの単純化された部分的な実体図である図２０を参照する。
【０２７７】
図２０に見てとれるように、この風防ガラスワイパアセンブリは、回転軸線（図示されていない）を中心として回転するように配置されていることが好ましい軸（図示されていない）に固定されているワイパアーム１７００を備える。この軸が、従来通りの自動車の一部分を構成する従来通りのワイパ駆動アセンブリ（図示されていない）によって往復回転運動するように駆動されることが好ましい。ワイパアーム１７００が第１の部分１７０６と第２の部分１７０８とを備えることが好ましい。第１の部分１７０６が軸に連結されていることが好ましく、および、第２の部分１７０８がワイパブレード１７１０とワイパブレードホルダ１７１２との少なくとも一部分の上に重なることが好ましい。
【０２７８】
あるいは、この代わりに、ワイパアーム１７００の第１の部分１７０６は、風防ガラスに沿った直線移動または直線／回転移動を実現するように構成されていることもある。
【０２７９】
ワイパブレードホルダ１７１２はワイパブレード１７１０を保持し、および、ワイパアーム１７００と共に往復回転移動するようにそのワイパアーム１７００に取り付けられている。本発明の好ましい実施形態では、風防ガラスワイパアセンブリは、ワイパアーム１７００および／またはワイパブレードホルダ１７１２を加熱する働きをする少なくとも１つの電気加熱要素１７２０を含むだろう。この図示されている実施形態では、複数の電気加熱要素１７２２がワイパアーム１７００を加熱するために備えられており、および、複数の電気加熱要素１７２４がワイパブレードホルダ１７１２を加熱するために備えられている。当業で公知であるように、電流が任意の適切な形態で加熱要素１７２２、１７２４に供給されるだろうということが理解される。
【０２８０】
本発明のシステムが、さらに、噴霧ノズルに液体を供給する供給導管を加熱する電気加熱要素も含むだろうということが理解される。
【０２８１】
図２０に見てとれるように、ワイパアーム１７００とワイパブレードホルダ１７１２は、好ましくは外向きの区域内に、少なくとも１つの熱伝導性外壁１７３０を含む。
【０２８２】
図示されている実施形態が、それぞれにワイパアーム１７００とワイパブレードホルダ１７１２との内側に配置されている電気加熱要素１７２２、１７２４を示すが、電気加熱要素１７２２、１７２４は、この代わりに、それぞれにワイパアーム１７００とワイパブレードホルダ１７１２との外側に配置されるだろうということが理解される。
【０２８３】
これによって、熱伝導性外壁１７３０は、風防ガラス上にすでに付着していることがある雪および／または氷と接触しておりかつ風防ガラスに沿ってワイパが動くにつれてその雪および／または氷を融解する働きをする加熱された表面を提供する。雪および／または氷の厚い層が風防ガラス上に堆積している極端な条件では、上述した本発明の風防ガラスワイパアセンブリが、乗物操作者による雪および／または氷層の残余のより容易な破壊と除去を可能にする、風防ガラスに最も近い雪および／または氷層の溶融を実現するだろうということが理解される。
【０２８４】
本発明の別の好ましい実施形態では、図２０の風防ガラスワイパアセンブリに類似した風防ガラスワイパアセンブリが、図１７から図１９を参照して上述した風防ガラスワイパアセンブリに類似した少なくとも１つの熱導電性循環導管を含むだろう。この実施形態では、例えば、ワイパアーム１７００は、図２０の加熱要素１７２２のような内部または外部の加熱要素を備えていることがあり、および、ワイパブレードホルダ１７１２は、図１８Ａの熱伝導性循環導管１６２４のような少なくとも１つの熱導電性循環導管を備えているだろう。あるいは、この代わりに、ワイパアーム１７００は、図１８Ａの熱導電性循環導管１６２２のような少なくとも１つの熱導電性循環導管を備えていることがあり、および、ワイパブレードホルダ１７１２は、図２０の加熱要素１７２４のような内部または外部の加熱要素を備えているだろう。あるいは、この代わりに、ワイパアーム１７００および／またはワイパブレードホルダ１７１２は、図２０の加熱要素１７２０のような内部または外部の加熱要素と、図１８Ａの熱伝導性循環導管１６２０のような少なくとも１つの熱導電性循環導管とを備えているだろう。
【０２８５】
本発明の実施形態、特に、図１７から図２０を参照して上述した実施形態では、乗物は、さらに、溶融された雪および／または氷の放出を可能にするために、軸に隣接している加熱可能な排水管のような加熱可能な排水区域も含むだろうということが理解される。
【０２８６】
次に、特に図１７から図２０を参照して上述したシステムに関して有用である、本発明の別の好ましい実施形態による風防ガラスワイパアセンブリを作動させる方法の単純化された流れ図である図２１を参照する。
【０２８７】
本発明の好ましい実施形態では、風防ガラスワイパアクチュエータが、ワイパ制御装置と、少なくとも１つの風防ガラスワイパを駆動する働きをするワイパモータとを含む。このワイパ制御装置はスタンドアロンのワイパ制御装置であってもよく、または、乗物コンピュータと通信状態にあるワイパ制御装置であってもよく、または、乗物コンピュータ内に一体化されていてもよく、または、これらの任意の組合せであってもよいということが理解される。
【０２８８】
本発明のワイパ制御装置が、風防ガラスをクリーニングするためにワイパモータとワイパを効果的かつ効率的に制御し、かつ、ワイパアセンブリが「阻止」されてしまった時にワイパモータに対する潜在的な過熱損傷を防止する働きをすることが好ましい。図２１に見てとれるように、本発明の好ましい実施形態では、このワイパ制御装置は、ワイパアームのトルク、モータに供給される推定電流、または、他の任意の適切な動作パラメータのような、ワイパアセンブリの動作パラメータに関係している阻止閾値レベル（ｂｌｏｃｋｅｄ  ｔｈｒｅｓｈｏｌｄ  ｌｅｖｅｌ）を選択する働きをする。ワイパ制御装置によって選択された阻止閾値レベルが定数値であってもよく、または、さらに詳細に後述するように、ワイパ制御装置にとって使用可能である任意の適切な入力の関数として計算されてもよいということが理解される。
【０２８９】
図２１にさらに見てとれるように、このワイパ制御装置が、動作パラメータを測定してこの動作パラメータを阻止閾値レベルに対して比較することによってワイパアセンブリがすでに「阻止されている」か「阻止されていない」かを検出する働きをすることが好ましい。動作パラメータが阻止閾値レベルを超える時には、ワイパ制御装置はワイパアセンブリの「阻止されている」状態を検出し、および、動作パラメータが阻止閾値レベルを超えない時には、ワイパ制御装置は「阻止されていない」状態を検出する。
【０２９０】
あるいは、この代わりに、動作パラメータが、ワイパアセンブリに含まれている軸エンコーダの回転運動の絶対値または他の動作パラメータであってもよく、この場合には、動作パラメータが阻止閾値レベルよりも小さい時に、ワイパ制御装置がワイパアセンブリの「阻止されている」状態を検出し、および、動作パラメータが阻止閾値レベルよりも大きい時に、ワイパ制御装置がワイパアセンブリの「阻止されていない」状態を検出する。
【０２９１】
通常の動作モードにしたがって風防ガラスに沿った移動の限界にワイパが到達することが不可能である時に、この「阻止されている」状態に達する。一般的に、ワイパブレードが風防ガラスに凍り付いており、および／または、雪および／または氷、または、例えば泥のような別の物質の大きな堆積物によってワイパアセンブリが阻止されている時に、この「阻止されている」状態に達する。
【０２９２】
本発明の好ましい実施形態によって、ワイパ制御装置が「阻止されていない」状態を検出する時に、このワイパ制御装置は、典型的には従来通りの動作モードである第１の動作モードにしたがってワイパモータを作動させる働きをする。ワイパ制御装置が「阻止されている」状態を検出する時には、後述する変更された動作モードのような第２の動作モードにしたがってワイパモータを作動させる働きをする。
【０２９３】
本発明の好ましい実施形態では、変更された動作モードで動作する時に、ワイパ制御装置は、例えばモータに供給される電流をゼロに減少させることによって、一定の時間期間にわたってワイパアセンブリの動作を停止させると同時に、図１７から図２０を参照して上述した熱伝導性循環導管と加熱要素とのような、熱伝導性循環導管および／または少なくとも１つの加熱要素を通して、ワイパアーム、ワイパブレードホルダ、および／または、ワイパブレードに隣接した区域を加熱する働きをする。この加熱は、ワイパを阻止することがある雪および／または氷の溶融を促進する。ワイパ制御装置は、その時間期間の終了時にワイパの方向を変える働きをする。
【０２９４】
この代わりに、変更された動作モードで動作する時に、ワイパ制御装置は、阻止閾値レベルよりも小さいか等しいレベルであることが好ましい最大動作レベルを設定する働きをし、かつ、ワイパアーム、ワイパブレードホルダ、および／または、ワイパブレードに隣接した区域を一定の時間期間にわたって加熱しながら、モータに供給される電流をこの最大動作レベル以下であるレベルに設定する働きをするだろう。この実施形態では、ワイパ制御装置が、時間期間中に、動作パラメータを最大動作パラメータに対して比較することによって、ワイパが「阻止されていない」状態にすでになっているかどうかを確認するために、動作パラメータを監視する働きをすることが好ましい。ワイパ制御装置がワイパが「阻止されていない」状態にはなっていないということを検出する場合には、ワイパ制御装置は、その時間期間の終了時にワイパの方向を変える働きをする。ワイパ制御装置が、ワイパが「阻止されていない」状態になっていることを検出する場合には、ワイパ制御装置は、「阻止されている」状態が再び検出されるまで通常の動作を再開する。その次に、ワイパ制御装置が、ワイパが再び「阻止されている」状態になっていることを検出する場合に、ワイパ制御装置は、再び、一定の時間期間にわたってモータとワイパブレードに供給される電流を最大動作レベルに設定する働きをする。ワイパ制御装置が、ワイパの方向を変える前に実行されるべき「阻止されている」および「阻止されていない」サイクルの予め決められた最大数を選択する働きをするだろうということが理解される。
【０２９５】
別の代替案の実施形態では、変更された動作モードで動作する時に、ワイパ制御装置は、モータに供給される電流を、阻止閾値レベルよりも大きい最大動作レベルに増大させるように時間期間を設定する働きをするだろう。この実施形態では、ワイパ制御装置が、時間期間中にワイパが「阻止されていない」状態になっているかどうかを確認するために、動作パラメータを監視し、および、この動作パラメータを最大動作レベルに対して比較する働きをすることが好ましい。ワイパ制御装置がワイパが「阻止されていない」状態になっていることを検出する場合には、ワイパ制御装置は通常の動作を再開する。ワイパ制御装置がワイパが「阻止されていない」状態にはなっていないことを検出する場合には、ワイパ制御装置は、その時間期間の終了時にワイパの方向を変える働きをする。
【０２９６】
本発明の別の好ましい実施形態では、変更された動作モードで動作する時に、ワイパ制御装置は時間期間を設定する働きをし、かつ、この時間期間の持続時間中に阻止状態が検出された時に、ワイパの位置に隣接した小さな区域全体にわたってのワイパの迅速な前後移動を実現する働きをするだろう。この実施形態では、ワイパ制御装置が、非常に短い時間期間中にワイパの方向を反復的に変える働きをすることが好ましい。この実施形態では、ワイパ制御装置が、時間期間の終了時にワイパが「阻止されていない」状態になっているかどうかを確認する働きをすることが好ましい。ワイパ制御装置がワイパが「阻止されていない」状態になっていることを検出する場合に、ワイパ制御装置は通常の動作を再開する。ワイパ制御装置がワイパが「阻止されていない」状態になっていないことを検出する場合に、ワイパ制御装置は、時間期間の終了時にワイパの方向を変える働きをする。
【０２９７】
上述したように、最大動作レベルが阻止閾値レベルより大きいか、等しいか、または、より小さいだろうということが理解される。
【０２９８】
ワイパ制御装置は、変更された動作モードで動作する時に、上述した実施形態の１つまたは複数を場合に応じて組み合わせる働きをすることがあり、または、ワイパを作動させるために他の任意の適切な変更された動作モードを実現するだろうということが理解される。
【０２９９】
上述の実施形態が単一のワイパモータを有するシステムを含むが、ワイパアセンブリは、ワイパアセンブリを各々が個別的に駆動する複数のワイパモータを含むことがあるということと、ワイパモータの各々とこれに関連したワイパアセンブリとの「阻止されている」および「阻止されていない」状態をワイパ制御装置が個別的に監視するだろうということが理解される。これに加えて、複数のワイパモータの各々が、互いに同一の乗物表面および／または互いに異なる乗物表面を拭き取るワイパアセンブリに関連付けられるだろうということが理解される。
【０３００】
ワイパ制御装置によって選択された阻止閾値レベルが定数値であってもよいし、または、ワイパアームの移動限界に対するワイパアームの相対的位置のような、ワイパ制御装置で使用可能な任意の適切な入力の関数として計算されてもよいということが理解される。
【０３０１】
ワイパ制御装置が、任意の適切な方法を使用して動作パラメータを測定または計算する働きをすることが好ましい。本発明の好ましい実施形態では、ワイパ制御装置は、動作パラメータとしてワイパアセンブリの測定または推定されたトルクを選択する働きをする。当業で公知であるように、ワイパアセンブリの推定されたトルクはトルクセンサによって提供されてよく、または、この代わりに、モータに供給される電力の関数として、または、他の任意の適切な方法によって、ワイパ制御装置によって計算されてよい。
【０３０２】
ワイパ制御装置が、ワイパモータ製造業者によって提供されるワイパモータの動作パラメータと、ワイパモータ温度のようなワイパ制御装置で使用できる他の「リアルタイム」乗物パラメータとに基づいて、阻止閾値レベルと、最大動作レベルと、時間期間とを設定することが好ましい。この時間期間と最大動作レベルとが互いに逆の関係にあることが好ましいということが理解される。ワイパ制御装置は、阻止閾値レベルと時間期間と最大動作レベルとを設定するための任意の適切な方法を使用してよいということが理解される。
【０３０３】
本特許出願と特許請求項との文脈で使用される術語「トルク」が、任意の適切な方法によって計算されるモータのトルクに関する推定値を意味するか、または、トルクセンサによって提供される値または推定値を意味するだろうということが理解される。例えば、このトルクに関する推定値は、モータの電流消費の関数として計算されてもよい。
【０３０４】
図２１を参照して上述した動作モードがあらゆる液体加熱システムと組み合わせた使用に適しており、および、図１７から図２０を参照して上述したシステムと組み合わせた使用に特に適していることが理解される。
【０３０５】
詳細に示しかつ上述したものによっては本発明が限定されないということが、当業者に理解されるだろう。むしろ、本発明の範囲は、上述の様々な特徴の組合せと副次的な組合せとの両方と、本明細書を理解することによって当業者に見出されかつ従来技術には含まれていない変形例と変型とを含む。
【図面の簡単な説明】
【０３０６】
【図１Ａ】図１Ａは、乗物内に取り付けられている、本発明の好ましい実施形態にしたがって構成されており動作する乗物ヘッドライトクリーニングおよび除氷システムの単純化された実体図である。
【図１Ｂ】図１Ｂは、乗物内に取り付けられている、本発明の好ましい実施形態によって構成されており動作する乗物ヘッドライトクリーニングおよび除氷システムの単純化された実体図である。
【図２】図２は、図１Ａと図１Ｂのシステムの加熱ユニットの単純化された分解組立実体図である。
【図３Ａ】図３Ａは、図１Ａと図１Ｂのシステムの加熱ユニットの正面図である。
【図３Ｂ】図３Ｂは、図３Ａの線ＩＩＩＢ−ＩＩＩＢに沿った図１Ａと図１Ｂのシステムの加熱ユニットの断面図である。
【図４Ａ】図４Ａは、図１Ａから図３Ｂの加熱ユニットの俯瞰図である。
【図４Ｂ】図４Ｂは、第１の断熱カバーがない図１Ａから図３Ｂの加熱ユニットの正面図である。
【図５Ａ】図５Ａは、図１Ａから図４Ｂの加熱ユニットの熱伝導カバーの正面図である。
【図５Ｂ】図５Ｂは、図１Ａから図４Ｂの加熱ユニットの熱伝導カバーの背面図である。
【図６】図６は、中を通る液体流を示す図１Ａから図５Ｂの加熱ユニットの容器の単純化された実体図である。
【図７】図７は、図１Ａから図６の加熱ユニットの一次加熱チャンバ内の循環液体流の単純化された説明図である。
【図８】図８は、即時噴霧モードと高温噴霧モードと待機モードとを含む、図１Ａから図７のシステムの好ましい動作モードの単純化された流れ図である。
【図９Ａ】図９Ａは、図８の即時噴霧モードの好ましい実施形態の単純化された流れ図である。
【図９Ｂ】図９Ｂは、図８の高温噴霧モードの好ましい実施形態の単純化された流れ図である。
【図１０】図１０は、本発明の好ましい実施形態による、乗物内での使用のための液体収集および再利用システムの単純化された略図である。
【図１１】図１１は、本発明の別の好ましい実施形態による、乗物内での使用のための液体収集および再利用システムの単純化された略図である。
【図１２】図１２は、自動車内に取り付けられている本発明の別の好ましい実施形態にしたがって構成されており動作する乗物風防ガラスクリーニングおよび除氷システムの単純化された実体図である。
【図１３】図１３は、図１２の乗物風防ガラスクリーニングおよび除氷システムの一部分を形成することがある液体を加熱するための容器の単純化された断面図である。
【図１４】図１４は、図１２と図１３の乗物風防ガラスクリーニングおよび除氷システムで使用するための液体の「近沸騰温度」を確認する方法の単純化された流れ図である。
【図１５】図１５は、図１２と図１３のシステムの好ましい動作モードの単純化された流れ図である。
【図１６】図１６は、図１２の乗物風防ガラスクリーニングおよび除氷システムの一部分を形成することがある液体を加熱するための別の容器の単純化された分解組立図である。
【図１７】図１７は、本発明のさらに別の好ましい実施形態にしたがって構成されかつ動作する、乗物内で使用するための風防ガラスワイパアセンブリの単純化された実体図である。
【図１８Ａ】図１８Ａは、図１７の風防ガラスワイパアセンブリに隣接している液体循環のための循環流の単純化された実体図である。
【図１８Ｂ】図１８Ｂは、図１７の風防ガラスワイパアセンブリに隣接している液体循環のための循環流の単純化された実体図である。
【図１９】図１９は、図１７の風防ガラスワイパアセンブリのワイパアームの単純化された実体図である。
【図２０】図２０は、本発明のさらに別の好ましい実施形態にしたがって構成されかつ動作する、乗物内で使用するための風防ガラスワイパアセンブリの単純化された実体図である。
【図２１】図２１は、特に図１７から図２０を参照して説明した風防ガラスワイパアセンブリと共に使用可能である、本発明の別の好ましい実施形態による風防ガラスワイパアセンブリを作動させるための方法の単純化された流れ図である。
【図１Ａ】
2009512592.tif 000003
【図１Ｂ】
2009512592.tif 000004
【図２】
2009512592.tif 000005
【図３Ａ】
2009512592.tif 000006
【図３Ｂ】
2009512592.tif 000007
【図４Ａ】
2009512592.tif 000008
【図４Ｂ】
2009512592.tif 000009
【図５Ａ】
2009512592.tif 000010
【図５Ｂ】
2009512592.tif 000011
【図６】
2009512592.tif 000012
【図７】
2009512592.tif 000013
【図８】
2009512592.tif 000014
【図９Ａ】
2009512592.tif 000015
【図９Ｂ】
2009512592.tif 000016
【図１０】
2009512592.tif 000017
【図１１】
2009512592.tif 000018
【図１２】
2009512592.tif 000019
【図１３】
2009512592.tif 000020
【図１４】
2009512592.tif 000021
【図１５】
2009512592.tif 000022
【図１６】
2009512592.tif 000023
【図１７】
2009512592.tif 000024
【図１８Ａ】
2009512592.tif 000025
【図１８Ｂ】
2009512592.tif 000026
【図１９】
2009512592.tif 000027
【図２０】
2009512592.tif 000028
【図２１】
2009512592.tif 000029